(57)【要約】【課題】 放送波を用いて対話性を実現でき、受信側の負荷の増加を抑制し、効率良く情報を伝送し、分かり易く操作しやすい画像を提供することができるＴＶ放送データ通信システム並びにそのデータ送信装置及びデータ受信装置を提供する。【解決手段】送信データ生成部１１２は、情報取得部１１１により取得されたＨＴＭＬ文書を解釈して、１画面の表示画像を表す表示画像情報を生成する。さらにホットスポットにリンクされている他の表示画像情報を示すホットスポット情報を文書中のアンカータグに従って生成する。データ受信装置１５０の制御部１５５は、ホットスポット情報に従い、保持している図形情報を用いて、表示画像中の前記表示位置にカーソル図形を表示させる。 【選択図】  図１
2004048783.tif 000002
【特許請求の範囲】
【請求項１】
放送波を用いて対話性を実現する通信システムにおけるデータ送信装置であって、
　１フレームに相当する画像データを複数記憶する第１記憶手段と、
　第１記憶手段の画像データ毎に、前記第１記憶手段の画像データとデータ受信装置に記憶されている補助図形とを合成することを指示する補助図形合成情報を記憶する第２記憶手段と、
　所定数の画像データをそれぞれ対応する補助図形合成情報とともに繰り返し送信する送信手段と、
　を備え、
　前記補助図形合成情報は、前記画像データにおいて前記補助図形が合成される位置を示す座標情報を含む
　ことを特徴とするデータ送信装置。
【請求項２】
放送波を用いて対話性を実現する通信システムにおけるデータ送信装置であって、
　文字と画像とを配したページを表し、文字情報と、画像情報と、ページのレイアウト及び他のページへのリンクを示す制御情報とを含むページ情報を複数取得する取得手段と、
　取得されたページ情報中の文字情報と画像情報と制御情報とに従って、文字と画像とを配した１フレームに相当する画像データを作成する第１作成手段と、
　取得されたページ情報中の制御情報を解釈して、画像データ毎に前記第１作成手段で作成された画像データとデータ受信装置に記憶されている補助図形とを合成することを指示する補助図形合成情報を作成する第２作成手段と、
　第１作成手段により作成された画像データを所定数記憶する第１記憶手段と、
　第２作成手段により作成された補助図形合成情報を記憶する第２記憶手段と、
　所定数の画像データをそれぞれ対応する補助図形合成情報とともに繰り返し送信する送信手段と、
　を含み、
　前記補助図形合成情報は、前記画像データにおいて前記補助図形が合成される位置を示す座標情報を含む
　ことを特徴とするデータ送信装置。
【請求項３】
前記取得手段が取得するページ情報は、制御情報として、文字及び画像に対応付けられ他のページへのリンクを示すリンク情報と、文字及び画像のレイアウトを示すレイアウト情報とを含み、
　前記第２作成手段は、
　前記取得されたページ情報からリンク情報及びレイアウト情報を判別する判別手段と、
　判別されたリンク情報及びレイアウト情報に係る文字及び画像に関して補助図形を合成することを指示する補助図形合成情報を生成する生成手段と、
　を含むことを特徴とする請求項２記載のデータ送信装置。
【請求項４】
前記取得手段が取得するページ情報は、制御情報として、見出しを示すレイアウト情報を含み、
　前記判別手段は、見出しを示すレイアウト情報を判別し、
　前記生成手段は、前記レイアウト情報によりレイアウトが示された文字及び画像を強調表示する補助図形を合成することを指示する補助図形合成情報を作成する
　ことを特徴とする請求項３記載のデータ送信装置。
【請求項５】
前記判別手段は、リンク情報を判別し、
　前記生成手段は、前記リンク情報に対応付けられた文字及び画像に補助図形を合成することを指示する補助図形合成情報を作成する
　ことを特徴とする請求項３記載のデータ送信装置。
【請求項６】
前記補助図形合成情報は、前記リンク情報及び前記レイアウト情報を示す種別を含む
　ことを特徴とする請求項４又は５記載のデータ送信装置。
【請求項７】
前記第２作成手段は
　複数種類の補助図形をあらかじめ記憶する補助図形記憶手段と、
　前記補助図形記憶手段より、補助図形を読み出し、読み出した補助図形を前記補助図形合成情報に追加して記録する補助図形追加手段とを含み、
　前記送信手段は、補助図形が追加して記録された補助図形合成情報を繰り返し送信する
　ことを特徴とする請求項４又は５記載のデータ送信装置。
【請求項８】
前記第２作成手段は
　補助図形を外部より取得し、前記補助記憶手段に記憶する補助図形取得手段
　を含むことを特徴とする請求項７記載のデータ送信装置。
【請求項９】
異なる複数の画像データと、画像データ毎に前記画像データに補助図形を合成することを指示する補助図形合成情報とが多重化され、繰り返し送信される放送波を用いて、対話性を実現する通信システムにおけるデータ受信装置であって、
　前記放送波から一の画像データとそれに対応する補助図形合成情報とを分離する分離手段と、
　少なくとも１つの補助図形を記憶する補助図形記憶手段と、
　分離された補助図形合成情報に基づいて前記補助図形記憶手段に記憶された補助図形を読み出す補助図形読み出し手段と、
　前記補助図形合成情報に基づいて前記読み出した補助図形と分離された画像データとを合成する合成手段と、
　合成された画像データを再生して映像信号を出力する再生手段と
　を備え、
　前記補助図形合成情報は、画像データにおいて補助図形が合成される位置を示す座標情報を含み、
　前記分離手段は、前記座標情報を含む補助図形合成情報を分離し、
　前記合成手段は、前記補助図形合成情報に含まれる前記座標情報により示される位置において前記画像データに前記補助図形を合成する
　ことを特徴とするデータ受信装置。
【請求項１０】
各画像データには、文字及び画像が配され、前記補助図形合成情報は、文字及び画像のレイアウト及び他の画像データへのリンクを示す種別を含むとともに、文字及び画像に関して補助図形を合成することを指示し、
　前記補助図形記憶手段は、前記種別に対応して少なくとも１つの補助図形を記憶し、
　前記補助図形読み出し手段は、
　前記分離手段により分離された前記補助図形合成情報に含まれる種別を判別する判別手段と、
　判別された種別に対応する補助図形を補助図形記憶手段から特定する補助図形特定手段と、
　を含むことを特徴とする請求項９記載のデータ受信装置。
【請求項１１】
前記種別は、文字及び画像のレイアウトとしての見出しを示し、
　前記補助図形記憶手段は、文字及び画像のレイアウトとしての見出しに対応して補助図形を記憶し、
　前記補助図形特定手段は、文字及び画像のレイアウトとしての見出しに対応して前記文字及び画像を強調表示する補助図形を特定する
　ことを特徴とする請求項１０記載のデータ受信装置。
【請求項１２】
前記種別は、他の画像データへのリンクを示し、
　前記補助図形記憶手段は、他の画像データへのリンクに対応して補助図形を記憶し、
　前記補助図形特定手段は、他の画像データへのリンクに対応する補助図形を特定する
　ことを特徴とする請求項１０記載のデータ受信装置。
【請求項１３】
前記補助図形は、矩形の図形であり、
　前記合成手段は、
　前記見出しを囲むように矩形の図形である補助図形のサイズを変更する補助図形変更手段を含み、
　前記合成手段は、サイズを変更された矩形の補助図形と画像データとを合成することを特徴とする請求項１１記載のデータ受信装置。
【請求項１４】
前記補助図形記憶手段は、他の画像データへのリンクを示し選択及び非選択の状態に対応する２種類の補助図形を含み、
　前記データ受信装置は、さらに、
　操作者から他の画像データへのリンクが対応付けられている文字又は画像の選択操作を受け付ける操作手段と、
　操作者により前記操作手段により受け付けられた選択及び非選択の状態を記憶する状態記憶手段とを含み、
　前記補助図形読み出し手段は、前記状態記憶手段の記憶する状態に対応する補助図形を、前記補助図形記憶手段より読み出す
　ことを特徴とする請求項１２記載のデータ受信装置。
【請求項１５】
データ送信装置より送信されてくる補助図形合成情報は、さらに補助図形を含み、
　前記データ受信装置は、さらに、分離された補助図形合成情報に含まれる補助図形を前記補助図形記憶手段に記録する補助図形記録手段を含む
　ことを特徴とする請求項９、１０、１１、１２、１３又は１４記載のデータ受信装置。
【請求項１６】
前記補助図形記憶手段は、複数の補助図形を含み、
　前記データ受信装置は、ユーザ操作に従って前記補助図形記憶手段に記憶される複数の補助図形から一つの補助図形を選択する補助図形選択手段を含み、
　前記補助図形読み出し手段は、選択された一つの補助図形を読み出す
　ことを特徴とする請求項９、１０、１１、１２、１３又は１４記載のデータ受信装置。
【請求項１７】
異なる複数の画像データと、画像データ毎に前記画像データに補助図形を合成することを指示する補助図形合成情報とが多重化され、繰り返し送信される放送波を用いて、対話性を実現する通信システムに用られるデータ受信装置における受信方法であって、
　前記放送波から一の画像データとそれに対応する補助図形合成情報とを分離する分離ステップと、
　分離された補助図形合成情報に基づいてメモリに記憶された補助図形を読みだす補助図形読み出しステップと、
　前記補助図形合成情報に基づいて前記読み出した補助図形と分離された前記画像データとを合成する合成ステップと、
　合成された画像データを再生して映像信号を出力する再生ステップと
　を含み、
　前記補助図形合成情報は、画像データにおいて補助図形が合成される位置を示す座標情報を含み、
　前記分離ステップは、前記座標情報を含む補助図形合成情報を分離し、
　前記合成ステップは、前記補助図形合成情報に含まれる前記座標情報により示される位置において前記画像データに前記補助図形を合成する
　ことを特徴とする受信方法。
【請求項１８】
異なる複数の画像データと、画像データ毎に前記画像データに補助図形を合成することを指示する補助図形合成情報とが多重化され、繰り返し送信される放送波を用いて、対話性を実現する通信システムに用られるデータ受信装置における受信プログラムを記録した記録媒体であって、
　前記受信プログラムは、
　前記放送波から一の画像データとそれに対応する補助図形合成情報とを分離する分離ステップと、
　分離された補助図形合成情報に基づいてメモリに記憶された補助図形を読みだす補助図形読み出しステップと、
　前記補助図形合成情報に基づいて前記読み出した補助図形と分離された前記画像データとを合成する合成ステップと、
　合成された画像データを再生して映像信号を出力する再生ステップと
　を含み、
　前記補助図形合成情報は、画像データにおいて補助図形が合成される位置を示す座標情報を含み、
　前記分離ステップは、前記座標情報を含む補助図形合成情報を分離し、
　前記合成ステップは、前記補助図形合成情報に含まれる前記座標情報により示される位置において前記画像データに前記補助図形を合成する
　ことを特徴とする受信プログラムを記録した記録媒体。
【請求項１９】
データ送信装置とデータ受信装置とからなり、放送波を用いて対話性を実現するデータ通信システムであって、
　前記データ送信装置は、
　文字と画像とを配したページを表し、文字情報と、画像情報と、ページのレイアウト及び他のページへのリンクを示す制御情報とを含むページ情報を複数取得する取得手段と、
　取得されたページ情報中の文字情報と画像情報と制御情報とに従って、文字と画像とを配した１フレームに相当する画像データを作成する第１作成手段と、
　取得されたページ情報中の制御情報を解釈して、画像データ毎に前記第１作成手段で作成された画像データとデータ受信装置に記憶されている補助図形とを合成することを指示する補助図形合成情報を作成する第２作成手段と、
　第１作成手段により作成された画像データを所定数記憶する第１記憶手段と、
　第２作成手段により作成された補助図形合成情報を記憶する第２記憶手段と、
　所定数の画像データをそれぞれ対応する補助図形合成情報とともに繰り返し送信する送信手段と、
　を含み、
　前記補助図形合成情報は、前記画像データにおいて前記補助図形が合成される位置を示す座標情報を含み、
　前記データ受信装置は、
　前記放送波から一の画像データとそれに対応する補助図形合成情報とを分離する分離手段と、
　少なくとも１つの補助図形を記憶する補助図形記憶手段と、
　分離された補助図形合成情報に基づいて前記補助図形記憶手段に記憶された補助図形を読み出す補助図形読み出し手段と、
　前記補助図形合成情報に基づいて前記読み出した補助図形と分離された画像データとを合成する合成手段と、
　合成された画像データを再生して映像信号を出力する再生手段と
　を含み、
　前記分離手段は、前記座標情報を含む補助図形合成情報を分離し、
　前記合成手段は、前記補助図形合成情報に含まれる前記座標情報により示される位置において前記画像データに前記補助図形を合成する
　ことを特徴とするデータ通信システム。
【発明の詳細な説明】
【技術分野】
【０００１】
　本発明は、テレビジョン（以下、ＴＶと表記する。）放送などの１方向通信を用いて、データ送信装置とデータ受信装置との間の擬似的な双方向通信処理を行うデータ通信システム並びにデータ送信装置およびデータ受信装置に関する。
【背景技術】
【０００２】
　今日では、電話回線などで接続されるネットワークを介して、世界各地のサーバが提供する様々な情報を、自宅のパーソナルコンピュータ（以下、パソコンという。）に受信し表示させることができる。
【０００３】
　その代表的なものとして、インターネットのワールドワイドウェブ（ＷＷＷ）が知られている。ＷＷＷのサーバは、１ページの表示画像をパソコンに表示させるためのデータとして、画像情報と、その画像情報を文字情報中にあてはめて表示するための制御情報とをパソコンに送信する。また、そのページが文字情報だけからなる場合には、文字情報を表示するための制御情報のみを送信する。制御情報は、ＨＴＭＬ（Ｈｙｐｅｒ Ｔｅｘｔ Ｍａｒｋｕｐ Ｌａｕｇｕａｇｅ）言語で記述されており、パソコン内のブラウザは、そのＨＴＭＬ言語を解釈し実行することにより、ＷＷＷのホームページの各ページを表示する。表示されたページの図形や文字列には、その図形や文字列に関連した情報を記載している他のページが関連付けられており、操作者がその表示部分をマウスなどで選択操作することにより、ブラウザはそのページを提供しているＷＷＷサーバにアクセスし、そのページを表示するための情報を取得する。次いで、取得した情報を解釈、実行しそのページを表示する。
【０００４】
　上記のような対話画面を生成するための制御情報を、ＴＶ放送用地上波を用い、放送番組に多重化して送信する技術が特開平７−３２２２２６号に開示されている。この技術では、番組送信装置は、ＨＴＭＬ言語に類似した言語で記述されている、対話画面の構成を指示するデータを、放送番組に多重化して放送する。これを受信した番組受信装置は、この対話画面の構成指示を解釈し、その指示に従って、内部に保持している基本表示要素を組み合わせ、対話画面を構成する。
【特許文献１】特開平７−３２２２２６号公報
【発明の開示】
【発明が解決しようとする課題】
【０００５】
　しかし、上記のような言語で記述された制御情報は、表示のための様々な制御内容を記述しているので、上記制御情報に従って表示を行うためには、受信装置は、これを一つ一つ解釈し、実行しなければならない。また、受信装置において、ＷＷＷサーバが提供しているような前記画像情報を表示しようとすると、高解像度で、高度な技術により圧縮された画像を特定のフォーマットに従って伸長し、上記制御情報に従って表示するという処理を行わなければならない。このような高度な処理を必要とする結果、受信装置の負荷が大きくなり、受信装置のコストが上昇するという問題点がある。この問題点は、少数の送信装置からの放送を多数の受信装置が受信するＴＶ放送通信システムにおいては、非常に不都合である。
【０００６】
　本発明の目的は、上記問題点に鑑みて、ＴＶ放送などの１方向通信システムにおいて、データ受信装置の負荷の増加を抑制しつつ、データ送信装置とデータ受信装置との間の擬似的な双方向の通信による対話性を実現できる送信装置、受信装置、受信方法、受信プログラムの記録媒体、通信システムを提供することである。また、本発明の別の目的は、受信装置に表示される画像の中の特定の部分を強調する画像や、利用者にとって見やすくかつ操作しやすい多種のボタンなどの補助図形を設定し、前記補助図形が利用者の好みに応じてカスタマイズし、また前記補助図形を利用することにより、上記受信装置に送信するデータ量を少なくすることである。
【課題を解決するための手段】
【０００７】
　上記の目的を達成するため、本発明は、放送波を用いて対話性を実現する通信システムにおけるデータ送信装置であって、１フレームに相当する画像データを複数記憶する第１記憶手段と、第１記憶手段の画像データ毎に他の画像データへのリンクを示し、前記第１記憶手段の画像データとデータ受信装置に記憶されている補助図形とを合成することを指示する制御情報を記憶する第２記憶手段と、所定数の画像データを制御情報とともに繰り返し送信する送信手段とを備えることを特徴とする。
【０００８】
　また、本発明は、放送波を用いて対話性を実現する通信システムにおけるデータ送信装置であって、文字と画像とを配したページを表し、他のページへのリンクを示すリンク情報と、文字情報と、画像情報とを含むページ情報を複数取得する取得手段と、取得されたリンク情報中の文字情報と画像情報とに従って、文字と画像とを配した１フレームに相当する画像データを作成する第１作成手段と、取得されたページ情報中のリンク情報を解釈して、画像データ毎に他の画像データへのリンクを示す画像リンク情報と画像データ毎に前記第１作成手段で作成された画像データとデータ受信装置に記憶されている補助図形とを合成することを指示する補助図形合成情報とを含む制御情報を作成する第２作成手段と、第１作成手段に作成された画像データを所定数記憶する第１記憶手段と、第２作成手段に作成された制御情報を記憶する第２記憶手段と、所定数の画像データを制御情報とともに繰り返し送信する送信手段とを含むことを特徴とする。
【０００９】
　ここで、前記第２作成手段は、前記取得された、さらに文字と画像のレイアウトを示すレイアウト情報を含むページ情報中のレイアウト情報を解釈して、特定の画像部分を判別する判別手段と、判別された特定の画像部分に関して補助図形を合成することを指示する補助図形合成情報を生成する生成手段とを含むとすることができる。
【００１０】
　ここで、前記判別手段は、特定の画像部分として、見出しを判別し、前記生成手段は、特定の画像部分を強調表示する補助図形を合成することを指示する補助図形合成情報を作成するとできる。ここで、前記判別手段は、特定の画像部分として、リンク付けされている文字又は画像を判別し、前記生成手段は、特定の画像部分に他の画像データへのリンク付けがされていることを示す補助図形を合成することを指示する補助図形合成情報を作成するとできる。
【００１１】
　ここで、前記補助図形合成情報は、特定の画像部分の種別を含むとすることができる。ここで、前記補助図形合成情報は、特定の画像部分の領域を示す座標を含むとすることができる。ここで、前記第２作成手段は補助図形をあらかじめ記憶する補助図形記憶手段と、前記補助図形記憶手段より、補助図形を読み出し、読み出した補助図形を前記制御情報に追加して記録する補助図形追加手段とを含むとすることができる。
【００１２】
　ここで、前記第２作成手段は補助図形を外部より取得し、前記補助記憶手段に記憶する補助図形取得手段を含むとすることができる。また、本発明は、異なる複数の画像データと、画像データ毎に他の画像データへのリンクを示す画像リンク情報と前記異なる複数の画像データに補助図形を合成することを指示する補助図形合成情報とを含む制御情報とが多重化され、繰り返し送信される放送波を用いて、対話性を実現する通信システムにおけるデータ受信装置であって、前記放送波から一の画像データとそれに対応する制御情報とを分離する分離手段と、少なくとも１つの補助図形を記憶する補助図形記憶手段と、分離された制御情報に基づいて前記補助図形記憶手段に記憶された補助図形を読み出す補助図形読み出し手段と、前記読み出した補助図形と分離された画像データを合成する合成手段と、合成された画像データと分離された制御情報とを保持する保持手段と、保持された画像データを再生して映像信号を出力する再生手段と、画像データの切り替えを指示するユーザ操作を受け付ける操作手段と、ユーザ操作に従って保持手段の制御情報に示される他の画像データを分離するよう分離手段を制御する制御手段とを備えることを特徴とする。
【００１３】
　ここで、前記補助図形読み出し手段は、前記分離手段により分離された前記制御情報に含まれ、特定の画像部分に関して補助図形を合成することを指示する情報と、特定の画像部分の種別とを含む前記補助図形合成情報の中の前記種別を判別する判別手段と、判別された種別に対応する補助図形を補助図形記憶手段から特定する補助図形特定手段とを含むとすることができる。
【００１４】
　ここで、前記種別は、特定の画像部分としての見出しを示し、前記補助図形特定手段は、特定の画像部分を強調表示する補助図形を特定するとできる。ここで、前記種別は、特定の画像部分としてのリンク付けされている文字又は画像であることを示し、前記補助図形特定手段は、特定の画像部分に他の画像データへのリンク付けがされていることを示す補助図形を特定するとできる。
【００１５】
　ここで、前記判別手段は、さらに特定の画像部分の領域を示す座標情報を含む前記補助図形合成情報から、前記座標情報を読み出し、前記合成手段は、読み出した座標情報に基づいて、前記画像に前記特定した補助図形を合成するとできる。ここで、前記合成手段は、前記見出しを囲むように矩形の図形である補助図形のサイズを変更する補助図形変更手段を含み、前記合成手段は、サイズを変更された矩形の補助図形と画像データを合成するとできる。
【００１６】
　ここで、前記補助図形記憶手段に含まれる他の画像データへのリンク付けがされていることを示す補助図形は選択／非選択の状態に対応する２種類の図形からなり、前記操作手段は、操作者によるリンク付けされている文字又は画像の選択操作を受け付け、前記データ受信装置は、さらに、操作者により前記操作手段により指定された選択／非選択の状態を記憶する状態記憶手段以下を含み、前記補助図形読み出し手段は、前記状態記憶手段の記憶する状態に対応する図形を、前記補助図形記憶手段より読み出すとすることができる。
【００１７】
　ここで、データ送信装置より送信されてくる制御情報は、さらに補助図形を含み、前記データ受信装置は、分離された制御情報に含まれる補助図形を前記補助図形記憶手段に記録する補助図形記録手段を含むとすることができる。ここで、前記補助図形記憶手段は、複数の補助図形を含み、前記データ受信装置は、ユーザ操作に従って前記補助図形記憶手段に記憶される複数の補助図形から一つの補助図形を選択する補助図形選択手段を含み、前記補助図形読み出し手段は、選択された一つの補助図形を読み出すとすることができる。
【００１８】
　また、本発明は、フレーム毎に異なる画像データと、画像データ毎に他の画像データへのリンクを示す画像リンク情報と、前記フレーム毎に異なる画像データに補助図形を合成することを指示する補助図形合成情報とを含む制御情報とを多重化された放送波を用いて、対話性を実現する通信システムに用られるデータ受信装置における受信方法であって、前記放送波から一の画像データとそれに対応する制御情報とを分離する分離ステップと、メモリに記憶された補助図形を読みだす補助図形読み出しステップと、前記読み出した補助図形と前記画像データを合成する合成ステップと、合成された画像データと分離された制御情報とをメモリに格納する格納ステップと、メモリに格納された画像データを再生して映像信号を出力する再生ステップと、画像データの切り替えを指示するユーザ操作を受け付ける操作ステップと、ユーザ操作に従ってメモリに格納された制御情報に示される他の画像データを判別する判別ステップと、判別された画像データと、それに対応する制御情報とを分離する再分離ステップとを含むことを特徴とする。
【００１９】
　また、本発明は、フレーム毎に異なる画像データと、画像データ毎に他の画像データへのリンクを示す画像リンク情報と、前記フレーム毎に異なる画像データに補助図形を合成することを指示する補助図形合成情報とを含む制御情報とを多重化された放送波を用いて、対話性を実現する通信システムに用られるデータ受信置装置における受信プログラムを記録した記録媒体であって、前記放送波から一の画像データとそれに対応する制御情報とを分離する分離ステップと、メモリに記憶された補助図形を読みだす補助図形読み出しステップと、前記読み出した補助図形と前記画像データを合成する合成ステップと、合成された画像データと分離された制御情報とをメモリに格納する格納ステップと、メモリに格納された画像データを再生して映像信号を出力する再生ステップと、画像データの切り替えを指示するユーザ操作を受け付ける操作ステップと、ユーザ操作に従ってメモリに格納された制御情報に示される他の画像データを判別する判別ステップと、判別された画像データと、それに対応する制御情報とを分離する再分離ステップとを含むことを特徴とする。
【００２０】
　また、本発明は、放送波を用いて対話性を実現する、データ送信装置とデータ受信装置とからなるデータ通信システムであって、前記データ送信装置は、文字と画像とを配したページを表すページ情報を複数取得する。各ページ情報は、他のページへのリンクを示すリンク情報と、文字情報と、画像情報とを含む取得手段と、取得されたリンク情報中の文字情報と画像情報とに従って、文字と画像とを配した１フレームに相当する画像データを作成する第１作成手段と、取得されたページ情報中のリンク情報を解釈して、画像データ毎に他の画像データへのリンクを示す画像リンク情報と画像データ毎に前記第１作成手段で作成された画像データとデータ受信装置に記憶されている補助図形を合成することを指示する補助図形合成情報とを含む制御情報を作成する第２作成手段と、第１作成手段に作成された画像データを所定数記憶する第１記憶手段と、第２作成手段に作成された制御情報を記憶する第２記憶手段と、所定数の画像データを制御情報とともに繰り返し送信する送信手段とを含み、前記データ受信装置は、前記放送波から一の画像データとそれに対応する制御情報とを分離する分離手段と、少なくとも１つの補助図形を記憶する補助図形記憶手段と、分離された制御情報に基づいて前記補助図形記憶手段に記憶された補助図形を読み出す補助図形読み出し手段と、前記読み出した補助図形と分離された画像データを合成する合成手段と、合成された画像データと分離された制御情報とを保持する保持手段と、保持された画像データを再生して映像信号を出力する再生手段と、画像データの切り替えを指示するユーザ操作を受け付ける操作手段と、ユーザ操作に従って保持手段の制御情報に示される他の画像データを分離するよう分離手段を制御する制御手段とを含むことを特徴とする。
【発明の効果】
【００２１】
　以上説明したように、本発明は、放送波を用いて対話性を実現する通信システムにおけるデータ送信装置であって、１フレームに相当する画像データを複数記憶する第１記憶手段と、第１記憶手段の画像データ毎に他の画像データへのリンクを示し、前記第１記憶手段の画像データとデータ受信装置に記憶されている補助図形とを合成することを指示する制御情報を記憶する第２記憶手段と、所定数の画像データを制御情報とともに繰り返し送信する送信手段とを備えるので、画像データと、それに対応する制御情報と、画像データと前記補助図形との合成を指示する情報とは繰り返し送信される。データ受信装置では補助図形の合成を指示する情報と制御情報に示されるリンク先の画像データとを、次の繰り返し送信において確実に受信することができるので、ユーザ所望のリンク先の画像データを次から次へと対話的にたどっていくことができる。その結果、片方向通信しかできない放送波を利用して、ユーザにとってはあたかも双方向通信を行っているかのごとく対話性を実現することができ、このときデータ受信装置に表示される画像に補助図形が合成されているので、利用者にとって見やすく操作しやすくなる。
【００２２】
　また、本発明は、放送波を用いて対話性を実現する通信システムにおけるデータ送信装置であって、文字と画像とを配したページを表し、他のページへのリンクを示すリンク情報と、文字情報と、画像情報とを含むページ情報を複数取得する取得手段と、取得されたリンク情報中の文字情報と画像情報とに従って、文字と画像とを配した１フレームに相当する画像データを作成する第１作成手段と、取得されたページ情報中のリンク情報を解釈して、画像データ毎に他の画像データへのリンクを示す画像リンク情報と画像データ毎に前記第１作成手段で作成された画像データとデータ受信装置に記憶されている補助図形とを合成することを指示する補助図形合成情報とを含む制御情報を作成する第２作成手段と、第１作成手段に作成された画像データを所定数記憶する第１記憶手段と、第２作成手段に作成された制御情報を記憶する第２記憶手段と、所定数の画像データを制御情報とともに繰り返し送信する送信手段とを含むので、外部から取得したページ情報に従って、放送に適した形式の画像データ、制御情報、及び画像データごとに補助図形を合成することを指示する補助図形合成情報に変換することができる。
【００２３】
　ここで、前記第２作成手段は、前記取得された、さらに文字と画像のレイアウトを示すレイアウト情報を含むページ情報中のレイアウト情報を解釈して、特定の画像部分を判別する判別手段と、判別された特定の画像部分に関して補助図形を合成することを指示する補助図形合成情報を生成する生成手段とを含むので、外部から取得したページ情報の特定の部分を判別して補助図形合成情報を作成することができる。
【００２４】
　ここで、前記判別手段は、特定の画像部分として、見出しを判別し、前記生成手段は、特定の画像部分を強調表示する補助図形を合成することを指示する補助図形合成情報を作成するので、外部から取得したページ情報から見出しを示す部分を判別して見出しに対応する補助図形合成情報を作成することができる。ここで、前記判別手段は、特定の画像部分として、リンク付けされている文字又は画像を判別し、前記生成手段は、特定の画像部分に他の画像データへのリンク付けがされていることを示す補助図形を合成することを指示する補助図形合成情報を作成するので、外部から取得したページ情報からリンク付けされている文字又は画像、即ち、ホットスポットをを判別して、これに対応する補助図形合成情報を作成することができる。
【００２５】
　ここで、前記補助図形合成情報は、特定の画像部分の種別を含むので、データ受信装置に、特定の画像部分の種別を通知することができる。ここで、前記補助図形合成情報は、特定の画像部分の領域を示す座標を含むので、データ受信装置に、特定の画像部分の領域を示す座標を通知することができる。
【００２６】
　ここで、前記第２作成手段は補助図形をあらかじめ記憶する補助図形記憶手段と、前記補助図形記憶手段より、補助図形を読み出し、読み出した補助図形を前記制御情報に追加して記録する補助図形追加手段とを含むので、データ受信装置に対して、データ送信装置が保持している補助図形を前記制御情報に追加して転送することができる。
【００２７】
　ここで、前記第２作成手段は補助図形を外部より取得し、前記補助記憶手段に記憶する補助図形取得手段を含むので、データ送信装置は、外部から補助図形を取得することができる。また、本発明は、異なる複数の画像データと、画像データ毎に他の画像データへのリンクを示す画像リンク情報と前記異なる複数の画像データに補助図形を合成することを指示する補助図形合成情報とを含む制御情報とが多重化され、繰り返し送信される放送波を用いて、対話性を実現する通信システムにおけるデータ受信装置であって、前記放送波から一の画像データとそれに対応する制御情報とを分離する分離手段と、少なくとも１つの補助図形を記憶する補助図形記憶手段と、分離された制御情報に基づいて前記補助図形記憶手段に記憶された補助図形を読み出す補助図形読み出し手段と、前記読み出した補助図形と分離された画像データを合成する合成手段と、合成された画像データと分離された制御情報とを保持する保持手段と、保持された画像データを再生して映像信号を出力する再生手段と、画像データの切り替えを指示するユーザ操作を受け付ける操作手段と、ユーザ操作に従って保持手段の制御情報に示される他の画像データを分離するよう分離手段を制御する制御手段とを備えるので、データ受信装置は、上記データ送信装置からの放送波を受信して、ユーザ操作に従って一の画像データを分離、再生、映像信号出力を行うので、対話性を実現できる。またデータ受信装置は、制御情報に示されるリンク先の画像データと画像データに補助図形を合成することを指示する制御情報とを、次の繰り返し送信において確実に受信することができるので、ユーザ所望のリンク先の画像データを次から次へと対話的にたどっていくことができる。その結果、片方向通信しかできない放送波を利用して、ユーザにとってはあたかも双方向通信を行っているかのごとく対話性を実現することができる。さらに、一般の双方向通信のサーバーの場合は、データ受信装置からの要求量に応じて負荷が大きく変動するので、ユーザ操作を受けてから表示画像が切り替わるまでの応答時間が大きく変動する。これに対して、本データ送信装置は、負荷が変動しないので繰り返し送信の周期を一定に保つことができる。従ってデータ受信装置では、一定の応答時間内、つまり最長でも繰り返し送信の１周期内に、画像データの切り替えを行うことができる。また、データ受信装置が受信する制御情報には、画像データに補助図形を合成することを指示する情報が含まれているので、画像データに補助図形を合成して表示することができ、利用者にとって見やすく操作しやすくなる。
【００２８】
　ここで、前記補助図形読み出し手段は、前記分離手段により分離された前記制御情報に含まれ、特定の画像部分に関して補助図形を合成することを指示する情報と、特定の画像部分の種別とを含む前記補助図形合成情報の中の前記種別を判別する判別手段と、判別された種別に対応する補助図形を補助図形記憶手段から特定する補助図形特定手段とを含むので、データ送信装置から送信されてきた制御情報から特定の画像部分の種別を判別し、判別された種別に対応する補助図形を特定して、画像データに合成して表示することができる。
【００２９】
　ここで、前記種別は、特定の画像部分としての見出しを示し、前記補助図形特定手段は、特定の画像部分を強調表示する補助図形を特定するので、データ送信装置から送信されてきた制御情報から特定の画像部分の種別として見出しを判別し、見出しに対応する補助図形を特定して、画像データに合成して表示することができる。
【００３０】
　ここで、前記種別は、特定の画像部分としてのリンク付けされている文字又は画像であることを示し、前記補助図形特定手段は、特定の画像部分に他の画像データへのリンク付けがされていることを示す補助図形を特定するので、データ送信装置から送信されてきた制御情報から特定の画像部分の種別としてリンク付けされている文字又は画像を判別し、これに対応する補助図形を特定して、画像データに合成して表示することができる。
【００３１】
　ここで、前記判別手段は、さらに特定の画像部分の領域を示す座標情報を含む前記補助図形合成情報から、前記座標情報を読み出し、前記合成手段は、読み出した座標情報に基づいて、前記画像に前記特定した補助図形を合成するので、データ送信装置から送信されてきた制御情報から特定の画像部分を表示する座標を知ることができるので、画像データの指定された座標位置に特定の画像を合成して表示することができる。
【００３２】
　ここで、前記合成手段は、前記見出しを囲むように矩形の図形である補助図形のサイズを変更する補助図形変更手段を含み、前記合成手段は、サイズを変更された矩形の補助図形と画像データを合成するので、見出しの文字数に合わせて補助図形を変更することができる。ここで、前記補助図形記憶手段に含まれる他の画像データへのリンク付けがされていることを示す補助図形は選択／非選択の状態に対応する２種類の図形からなり、前記操作手段は、操作者によるリンク付けされている文字又は画像の選択操作を受け付け、前記データ受信装置は、さらに、操作者により前記操作手段により指定された選択／非選択の状態を記憶する状態記憶手段以下を含み、前記補助図形読み出し手段は、前記状態記憶手段の記憶する状態に対応する図形を、前記補助図形記憶手段より読み出すので、操作者の選択あるいは非選択に合わせて表示する補助図形を変えることができ、分かり易い表示とすることができる。
【００３３】
　ここで、データ送信装置より送信されてくる制御情報は、さらに補助図形を含み、前記データ受信装置は、分離された制御情報に含まれる補助図形を前記補助図形記憶手段に記録する補助図形記録手段を含むので、データ送信装置から送信されてくる補助図形をデータ受信装置に記憶し、この補助図形を基にして、補助図形を画像データに合成することができ、データ受信装置の補助図形を様々な補助図形に変更することができる。
【００３４】
　ここで、前記補助図形記憶手段は、複数の補助図形を含み、前記データ受信装置は、ユーザ操作に従って前記補助図形記憶手段に記憶される複数の補助図形から一つの補助図形を選択する補助図形選択手段を含み、前記補助図形読み出し手段は、選択された一つの補助図形を読み出すので、ユーザは好みの補助図形を選択することができる。
【００３５】
　また、本発明は、フレーム毎に異なる画像データと、画像データ毎に他の画像データへのリンクを示す画像リンク情報と、前記フレーム毎に異なる画像データに補助図形を合成することを指示する補助図形合成情報とを含む制御情報とを多重化された放送波を用いて、対話性を実現する通信システムに用られるデータ受信装置における受信方法であって、前記放送波から一の画像データとそれに対応する制御情報とを分離する分離ステップと、メモリに記憶された補助図形を読みだす補助図形読み出しステップと、前記読み出した補助図形と前記画像データを合成する合成ステップと、合成された画像データと分離された制御情報とをメモリに格納する格納ステップと、メモリに格納された画像データを再生して映像信号を出力する再生ステップと、画像データの切り替えを指示するユーザ操作を受け付ける操作ステップと、ユーザ操作に従ってメモリに格納された制御情報に示される他の画像データを判別する判別ステップと、判別された画像データと、それに対応する制御情報とを分離する再分離ステップとを含むので、上記データ受信装置と同様の効果を奏する。
【００３６】
　また、本発明は、フレーム毎に異なる画像データと、画像データ毎に他の画像データへのリンクを示す画像リンク情報と、前記フレーム毎に異なる画像データに補助図形を合成することを指示する補助図形合成情報とを含む制御情報とを多重化された放送波を用いて、対話性を実現する通信システムに用られるデータ受信置装置における受信プログラムを記録した記録媒体であって、前記放送波から一の画像データとそれに対応する制御情報とを分離する分離ステップと、メモリに記憶された補助図形を読みだす補助図形読み出しステップと、前記読み出した補助図形と前記画像データを合成する合成ステップと、合成された画像データと分離された制御情報とをメモリに格納する格納ステップと、メモリに格納された画像データを再生して映像信号を出力する再生ステップと、画像データの切り替えを指示するユーザ操作を受け付ける操作ステップと、ユーザ操作に従ってメモリに格納された制御情報に示される他の画像データを判別する判別ステップと、判別された画像データと、それに対応する制御情報とを分離する再分離ステップとを含むので、上記受信プログラムをコンピュータにより実行することにより、上記データ受信装置と同様の効果を奏する。
【００３７】
　また、本発明は、放送波を用いて対話性を実現する、データ送信装置とデータ受信装置とからなるデータ通信システムであって、前記データ送信装置は、文字と画像とを配したページを表すページ情報を複数取得する。各ページ情報は、他のページへのリンクを示すリンク情報と、文字情報と、画像情報とを含む取得手段と、取得されたリンク情報中の文字情報と画像情報とに従って、文字と画像とを配した１フレームに相当する画像データを作成する第１作成手段と、取得されたページ情報中のリンク情報を解釈して、画像データ毎に他の画像データへのリンクを示す画像リンク情報と画像データ毎に前記第１作成手段で作成された画像データとデータ受信装置に記憶されている補助図形を合成することを指示する補助図形合成情報とを含む制御情報を作成する第２作成手段と、第１作成手段に作成された画像データを所定数記憶する第１記憶手段と、第２作成手段に作成された制御情報を記憶する第２記憶手段と、所定数の画像データを制御情報とともに繰り返し送信する送信手段とを含み、前記データ受信装置は、前記放送波から一の画像データとそれに対応する制御情報とを分離する分離手段と、少なくとも１つの補助図形を記憶する補助図形記憶手段と、分離された制御情報に基づいて前記補助図形記憶手段に記憶された補助図形を読み出す補助図形読み出し手段と、前記読み出した補助図形と分離された画像データを合成する合成手段と、合成された画像データと分離された制御情報とを保持する保持手段と、保持された画像データを再生して映像信号を出力する再生手段と、画像データの切り替えを指示するユーザ操作を受け付ける操作手段と、ユーザ操作に従って保持手段の制御情報に示される他の画像データを分離するよう分離手段を制御する制御手段とを含むので、上記データ受信装置及びデータ送信装置と同様の効果を奏する。
【発明を実施するための最良の形態】
【００３８】
（第１の実施の形態）
　図１は、本発明の第１の実施の形態であるデータ通信システム１００の構成を示すブロック図である。データ通信システム１００は、データ送信装置１１０と複数のデータ受信装置１５０とを備える。
【００３９】
　データ送信装置１１０は、情報取得部１１１、送信データ生成部１１２、送信データ保持部１１３、送信データ読出部１１４、多重化部１１５および送信部１１６を備える。データ受信装置１５０は、受信分離部１５１、受信データ保持部１５２、再生部１５３、表示部１５４、制御部１５５および信号受信部１５６を備える。
（データ送信装置１１０の構成の説明）
　以下、データ送信装置１１０の各構成について説明する。
（情報取得部１１１の構成の説明）
　情報取得部１１１は、取得リスト記憶部１２１と、ＷＷＷサーバなどの外部データベースから取得した情報を保持する図示しないバッファとを備える。
【００４０】
　取得リスト記憶部１２１には、取得順を示す取得順番号に対応づけて、情報取得部１１１が取得すべき情報の取得先と、取得すべき情報のファイル名とを示す取得リストが予め格納されている。図２は、取得リスト記憶部１２１に格納されている取得リスト２００の一例を示す説明図である。なお、ファイル名の拡張子『．ｈｔｍｌ』は、そのファイル内にＨＴＭＬ文書が格納されていることを表し、拡張子『．ｇｉｆ』は、そのファイルに、ＧＩＦ形式で圧縮された画像情報が格納されていることを表している。また、拡張子『．ａｕ』は、そのファイル内にＡＵ形式の音声情報が格納されていることを表している。
【００４１】
　取得リスト記憶部１２１には、例えば、情報取得部１１１がインターネットに接続されており、ＷＷＷサーバから情報を取得するよう設定されている場合には、図２に示すような取得リスト２００が格納されている。取得リスト２００には、取得順番号２０１に対応づけて、取得先名２０２として、ディレクトリ部までを含んだそのＷＷＷサーバのＵＲＬが格納されている。また、各ＷＷＷサーバが提供するホームページは、各ページが、１つのＨＴＭＬ文書と、そのＨＴＭＬ文書にファイル名が指定された画像情報ファイルおよび音声情報ファイルとで表されるので、取得リスト２００には、取得すべきファイル名２０３として、当該ページを記述したＨＴＭＬ文書のファイル名と画像情報のファイル名と音声情報ファイル名とが、ページ単位に格納されている。
【００４２】
　なお、上記取得リスト記憶部１２１において、前記取得先と前記ファイル名とは、必ずしも別々に記述される必要はなく、１つのＵＲＬで表されていてもよい。また、情報取得部１１１の取得先がＷＷＷサーバでない場合には、取得先は当該外部データベースの装置アドレスで、取得すべきファイルはファイルアドレスで表される。
【００４３】
　情報取得部１１１は、取得リスト記憶部１２１から、取得先のＵＲＬと取得すべき情報のファイル名とを取得順番号２０１の順に読み出して、そのＵＲＬで示されるＷＷＷサーバにアクセスし、当該ファイル名のファイルを取得する。情報取得部１１１は、取得したファイルにファイル名を付し、前記バッファに格納する。
（取得ファイルの例示説明）
　以下、情報取得部１１１が取得するファイルの内容について、図３、図４、図５および図６を用いて具体的に説明する。
【００４４】
　図３は、ＷＷＷホームページの第１ページの一例を記述するＨＴＭＬ文書３０１『Ｒｅｐｏｒｔ．ｈｔｍｌ』を示す説明図である。なお、ＨＴＭＬ文書３０１『Ｒｅｐｏｒｔ．ｈｔｍｌ』という表記は、ファイル名が『Ｒｅｐｏｒｔ．ｈｔｍｌ』というファイルに格納されているＨＴＭＬ文書３０１を示すものとする。また、各ＨＴＭＬ文書において、〈（文字列）〉で表される制御コードは、タグと呼ばれ、原則として、〈（文字列）〉と〈／（文字列）〉との組で用いられる。〈〉内の文字列は、そのタグの制御内容を表している。
【００４５】
　行３１１の〈ＨＴＭＬ〉と、行３２３の〈／ＨＴＭＬ〉とは、〈ＨＴＭＬ〉と〈／ＨＴＭＬ〉との間に挟まれている文字列が、１つのＨＴＭＬ文書３０１であることを示している。行３１２の〈Ｈ１〉と〈／Ｈ１〉とは、これらの間の文字列『天気予報』が、この文書の見出しであることを示している。
【００４６】
　行３１３の〈ＣＥＮＴＥＲ〉と、行３１５の〈／ＣＥＮＴＥＲ〉とは、これらの間に挟まれた文字列によって表現される文書の表示要素を、中よせで表示することを示している。行３１４の〈ＩＭＧ ＳＲＣ＝”Ｗｅａｔｈｅｒ．ｇｉｆ”〉は、後述の図４に示す画像情報４０１『Ｗｅａｔｈｅｒ．ｇｉｆ』が、この位置に文書の表示要素として含まれていることを表す。なお、タグ〈ＩＭＧ〉の属性である『ＳＲＣ＝』は、画像情報ファイルの指定を示し、その属性値である『”Ｗｅａｔｈｅｒ．ｇｉｆ”』は、指定されたファイルのファイル名を示している。
【００４７】
　図４は、ＷＷＷホームページの第１ページに表示される画像の一例である画像情報４０１『Ｗｅａｔｈｅｒ．ｇｉｆ』を示す説明図である。図４に示すように、画像情報ファイル『Ｗｅａｔｈｅｒ．ｇｉｆ』に格納されている画像情報４０１は、日本の各地の天気を示す概略日本地図の画像を表している。
【００４８】
　ＨＴＭＬ文書３０１の行３１６と、行３１７とは、〈Ｐ〉と〈／Ｐ〉とで囲まれた文字列『明日は全国的に春めいた陽気になるでしょう』が、この文書の本文の１つのパラグラフ（段落）であることを表す。行３１８の〈ＵＬ〉と、行３２２の〈／ＵＬ〉とは、これらの間の文字列によって表現される文書の表示要素を、番号無しの見出しによる箇条書きの形式で表示することを示している。
【００４９】
　行３１９と行３２０の〈ＬＩ〉は、これ以降次の〈ＬＩ〉もしくは〈／ＵＬ〉までの文字列が、箇条書きの１つの項目となることを示している。行３１９の〈Ａ ＨＲＥＦ＝“Ｔｏｋｙｏ．ｈｔｍｌ“〉東京〈／Ａ〉は、文字列『東京』から、後述の図５に示すＨＴＭＬ文書５０１『Ｔｏｋｙｏ．ｈｔｍｌ』にリンクが張られていることを表している。この文字列『東京』のように、他のファイルへのリンクが張られている文字列または画像は、ホットスポットまたはアンカーポイントと呼ばれる。例えば、ブラウザによってパソコンのモニターに表示されたホットスポット『東京』がユーザのマウス操作などにより選択された場合には、文字列『東京』にリンクされたＨＴＭＬ文書５０１『Ｔｏｋｙｏ．ｈｔｍｌ』がブラウザによって読み込まれ、その表示画像が表示される。また、タグ〈Ａ〉の属性である『ＨＲＥＦ＝』は、タグ〈Ａ〉のリンク先の指定を示し、その属性値である『”Ｔｏｋｙｏ．ｈｔｍｌ”』は、そのリンク先のファイル名を示している。
【００５０】
　行３２０の〈Ａ ＨＲＥＦ＝“Ｏｓａｋａ．ｈｔｍｌ“〉大阪〈／Ａ〉は、文字列『大阪』から、後述の図６に示すＨＴＭＬ文書６０１『Ｏｓａｋａ．ｈｔｍｌ』にリンクが張られていることを表す。行３２０の文字列『大阪』も、行３１９の文字列『東京』と同様のホットスポットであり、当該文字列『大阪』が選択された場合には、文字列『大阪』にリンクされたＨＴＭＬ文書６０１『Ｏｓａｋａ．ｈｔｍｌ』の表示画像がモニターに表示される。
【００５１】
　行３２１の〈Ａ ＨＲＥＦ＝“Ｗｅａｔｈｅｒ．ａｕ“〉音声解説〈／Ａ〉は、文字列『音声解説』から、音声情報『Ｗｅａｔｈｅｒ．ａｕ』にリンクが張られていることを表す。文字列『音声解説』は、ホットスポットであり、当該文字列『音声解説』が選択された場合には、リンクされた音声情報『Ｗｅａｔｈｅｒ．ａｕ』が再生される。
【００５２】
　図５は、前記ＷＷＷホームページの第２ページの一例を記述するＨＴＭＬ文書５０１『Ｔｏｋｙｏ．ｈｔｍｌ』を示す説明図である。ＨＴＭＬ文書５０１に記述されているタグについては、すでに説明しているので、他のページへのリンクに関する説明を除き、説明を省略する。行５１１の〈Ａ ＨＲＥＦ＝“Ｒｅｐｏｒｔ．ｈｔｍｌ“〉戻る〈／Ａ〉は、文字列『戻る』から、図３に示したＨＴＭＬ文書３０１『Ｒｅｐｏｒｔ．ｈｔｍｌ』にリンクが張られていることを表す。
【００５３】
　図６は、前記ＷＷＷホームページの第３ページの一例を記述するＨＴＭＬ文書６０１『Ｏｓａｋａ．ｈｔｍｌ』を示す説明図である。ＨＴＭＬ文書６０１に記述されているタグについては、すでに説明しているので、他のページへのリンクに関する説明を除き、説明を省略する。行６１１の〈Ａ ＨＲＥＦ＝“Ｒｅｐｏｒｔ．ｈｔｍｌ“〉戻る〈／Ａ〉は、文字列『戻る』から、図３に示すＨＴＭＬ文書３０１『Ｒｅｐｏｒｔ．ｈｔｍｌ』にリンクが張られていることを表す。
【００５４】
　なお、上記情報取得部１１１は、取得リスト記憶部１２１に示されている全ファイルを連続的に取得し、取得した全ファイルを前記バッファに格納するとしてもよいし、前記ページ単位にファイルを取得して前記バッファに格納し、後述の送信データ生成部１１２の当該ページに対する処理が完了する都度、次のファイルを取得するとしてもよい。
（送信データ生成部１１２の構成の説明）
　送信データ生成部１１２は、データ変換テーブル記憶部１２２と、送信データ生成用の作業領域となる図示しない記憶領域とを備える。データ変換テーブル記憶部１２２は、各ＨＴＭＬタグの制御内容とそれに対応するフラグとを示すタグテーブルと、ＴＶ表示用の文字フォントを用途別に収録したフォントファイルと、ホットスポットを記述するリンク情報のデータ通信システム１００用フォーマットを示したリンク情報テーブルとを記憶している。前記作業領域は、１ファイルのＨＴＭＬ文書を保持するためのファイル記憶領域と、タグ内の〈〉で挟まれた文字列を確保するためのタグ記憶領域と、タグ以外の文字列を確保するための文字列記憶領域と、１フレームに相当する画像データを表す表示画像情報の生成を制御するためのフラグを立てる領域となるフラグ記憶領域とからなる。前記タグ記憶領域に書き込まれた文字列と、前記文字列記憶領域に書き込まれた文字列とは、そのタグ（フラグ）に対応した処理が完了する都度、消去される。前記フラグ記憶領域には、フラグが複数あれば、上位から順にセットされ、下位から順にリセットされる。
【００５５】
　図７は、データ変換テーブル記憶部１２２に格納されているリンク情報テーブル７００の一例を示す説明図である。なお、リンク情報テーブル７００に示す『９』は、１０進数一桁の数字を表す。リンク情報テーブル７００に示されるように、リンク情報は、インデックス情報７０１とホットスポット情報７０２とからなり、インデックス情報７０１とホットスポット情報７０２とは、それぞれ〈〉で挟まれた文字列で表される。
　インデックス情報７０１は、インデックス情報であることを示す情報識別部『ＩＮＤＥＸ ＝』と、４桁の１０進数で表されるファイル識別番号とからなる。ファイル識別番号は、このインデックス情報が属する送信データのファイルの識別番号を示す。ホットスポット情報７０２は、ホットスポット情報であることを示す情報識別部『ＨＯＴＳＰＯＴ 』と、対応する表示画像情報によって表される表示画像中のカーソル表示位置を示すＸ−Ｙ座標『Ｘ＝９９９、Ｙ＝９９９、』と、当該Ｘ−Ｙ座標に表示されるカーソルに対応付けられている命令『ＧＯ＿ＴＯ＿ＰＡＧＥ』と、４桁の１０進数で表されるその命令の変数値とからなる。前記命令の変数値は、当該カーソルにリンクされている他の送信データのファイルの識別番号を示す。
【００５６】
　また、送信データ生成部１１２は、１つのＨＴＭＬ文書に基づいて生成される一組の表示画像情報と音声情報とリンク情報とを１つの送信データファイルとして取り扱う。送信データ生成部１１２は、後述の送信データ保持部１１３内に設けられている表示画像情報記憶部１２３と音声情報記憶部１２４とリンク情報記憶部１２５とのそれぞれに、送信データの１ファイルに格納される表示画像情報と音声情報とリンク情報とを対応づけて格納するための記憶領域を設定する。以下、表示画像情報記憶部１２３内の記憶領域を表示画像情報記憶領域、音声情報記憶部１２４内の記憶領域を音声情報記憶領域、リンク情報記憶部１２５内の記憶領域をリンク情報記憶領域という。
【００５７】
　さらに、送信データ生成部１１２は、同一送信データファイルの表示画像情報と音声情報とリンク情報とを格納するために設定した表示画像情報記憶領域と音声情報記憶領域とリンク情報記憶領域とのそれぞれに、送信データ読み出し用の同一識別番号を付す。また、送信データ生成部１１２は、同一送信データファイルに属する音声情報とリンク情報とを、それぞれ１つのファイルとして管理し、それらに同一識別番号を付す。前記識別番号は、例えば、取得したファイルのファイル名２０３に対応する、取得リスト２００内の取得順番号２０１で与えられる。
【００５８】
　送信データ生成部１１２は、情報取得部１１１によって取得された未処理のＨＴＭＬ文書ファイルを、取得リスト２００の取得順番号２０１に従って情報取得部１１１内のバッファから取り出し、前記作業領域のファイル記憶領域に書き込むとともに、リンク情報テーブル７００のインデックス情報７０１のフォーマットに従って、インデックス情報を生成する。さらに、生成したインデックス情報を、送信データ保持部１１３のリンク情報記憶領域の先頭に格納する。
【００５９】
　さらに、送信データ生成部１１２は、ＨＴＭＬ文書の先頭から順に、タグを読み込んでは読み込んだタグとタグテーブルとを照合し、そのタグの制御内容を解釈する。制御内容の解釈は、タグ開始文字『〈』に続く文字列を１文字ずつタグ終了文字『〉』が現れるまで作業領域のタグ記憶領域に書き込んでいき、原則として、タグ終了文字が現れた時点で作業領域に書き込まれている文字列、すなわち、『〈』と『〉』とに挟まれた文字列を、タグテーブルと照合することにより解釈を行う。
【００６０】
　送信データ生成部１１２は、読み込んだタグが〈（『Ａ』、『ＩＭＧ』または『／で始まる文字列』以外の文字列）〉であれば、先ず、前記解釈結果を表すフラグを作業領域のフラグ記憶領域に立て、そのフラグに対応づけて、当該タグ〈〉とそれに対応するタグ〈／〉とに挟まれた文字列を、作業領域の文字列記憶領域に確保する。相対応するタグに挟まれた文字列を、文字列記憶領域に確保する方法は、タグ内の文字列と同様である。次いで、確保した文字列をフォントファイル中の文字フォントを用いて文字の画像に変換し、当該文字画像がフラグに従って配置された表示画像情報を生成する。次いで、生成した表示画像情報を、送信データ保持部１１３に設定しておいた表示画像情報記憶領域に追加する。また、前記タグ〈〉に続くものが文字列でなく、別のタグ〈（別の文字列）〉である場合には、前のタグ〈〉に対応するフラグだけをフラグ記憶領域に立てておき、次のタグ〈（別の文字列）〉に応じた処理を行う。
【００６１】
　送信データ生成部１１２は、読み込んだタグが〈ＩＭＧ〉であれば、その属性である『ＳＲＣ＝』によって指定される『”ファイル名”』の画像情報ファイルを情報取得部１１１のバッファから取り出して、そのファイル名の拡張子に応じた形式で伸長し、ビットマップデータあるいはグラフィックデータなどの一定の形式で表される画像情報に変換する。例えば、指定された画像情報ファイルのファイル名の拡張子が『．ｇｉｆ』であれば、当該画像情報をＧＩＦ形式に従って伸長し、所定の形式の画像情報に変換する。変換後の画像情報に対する制御内容を示した上位のフラグがあればその制御内容に従い、なければ初期設定による表示位置にその画像が配置されるよう表示画像情報を生成する。次いで、生成した表示画像情報を、前記表示画像情報記憶領域に追加する。
【００６２】
　送信データ生成部１１２は、読み込んだタグがタグ〈Ａ〉であれば、タグ〈Ａ〉の属性である『ＨＲＥＦ＝』によって指定された『”リンク先ファイル”』が、拡張子『．ａｕ』などの音声情報であるか否かをチェックする。音声情報であれば、当該音声情報を取得リスト記憶部１２１から取り出して予め定めた一定形式の音声情報に変換し、変換後の音声情報を前記音声情報記憶領域に格納する。
【００６３】
　音声情報でなければ、タグ〈Ａ〉とタグ〈／Ａ〉とで挟まれた文字列から文字画像を生成し、生成した文字画像が、上位のフラグによって配置される表示位置もしくは、初期設定による表示位置からカーソルを表示するための領域を空けて表示されるよう表示画像情報を生成する。生成した表示画像情報は、送信データ保持部１１３の表示画像情報記憶領域に追加して格納する。次いで、空き領域としたカーソル表示位置のＸ−Ｙ座標を計算する。さらに、リンク情報テーブル７００のホットスポット情報７０２を参照し、計算したカーソル表示位置のＸ−Ｙ座標と、タグ〈Ａ〉の属性『ＨＲＥＦ＝』で指定された『”リンク先ファイル名”』とから、ホットスポット情報を生成する。この際に、取得リスト２００を参照し、タグ〈Ａ〉の『”リンク先ファイル名”』から、そのファイル名２０３に対応する取得順番号２０１を調べ、当該取得順番号２０１をそのファイルの識別番号としてホットスポット情報内に記述する。もし、リンク先ファイル名が取得リストに存在しない場合には、自ファイルのファイル名をリンク先ファイル名としておく。次いで、生成したホットスポット情報を、送信データ保持部１１３のリンク情報記憶領域に追加して格納する。
【００６４】
　送信データ生成部１１２は、上記処理により、１つのＨＴＭＬ文書に記述されている内容について、すべての処理を終了すると、表示画像情報領域に格納されている表示画像情報中の実際には表示されない領域の一定位置に、当該表示画像情報領域に付した識別番号を画像化して書き込む。なお、ここでは、上記識別番号を、１０進数４桁の数字で表しているが、識別番号は、何桁であってもよく、２進数であってもよいし、文字混じりの数字や記号であってもよい。図形やバーコードなどで表されていてもよい。また、ファイル名であってもよい。さらに、音声情報記憶領域に格納されている音声情報と、リンク情報記憶領域に格納されているリンク情報とには、一般のデジタルデータファイルに付すのと同様にして、対応する記憶領域に付されている識別番号を付す。
【００６５】
　このような処理により、送信データ生成部１１２は、取得されたＨＴＭＬ文書３０１、図示しない音声情報、画像情報４０１、ＨＴＭＬ文書５０１およびＨＴＭＬ文書６０１から、前記ＷＷＷホームページの第１ページの送信データ８００、第２ページの送信データ９００および第３ページの送信データ１０００を生成する。
（送信データ生成部１１２によって生成される送信データの例示）
　図８は、ＨＴＭＬ文書３０１と音声情報『Ｗｅａｔｈｅｒ．ａｕ』と画像情報４０１とから生成されたＷＷＷホームページの第１ページの送信データ８００を示す説明図である。図９は、ＨＴＭＬ文書５０１から生成されたＷＷＷホームページの第２ページの送信データ９００を示す説明図である。図１０は、ＨＴＭＬ文書６０１から生成されたＷＷＷホームページの第３ページの送信データ１０００を示す説明図である。
【００６６】
　図８に示す送信データ８００は、ＷＷＷホームページの第１ページを表し、表示画像情報８０１および音声情報８０２と、表示画像情報８０１に関連付けられたとリンク情報８０３とからなる。図８（ａ）は、表示画像情報８０１に基づいて表示される表示画像を用いて、表示画像情報８０１の内容を表す説明図である。図８（ｂ）は、音声情報８０２を示す説明図である。図８（ｃ）は、リンク情報８０３の内容を示す説明図である。
【００６７】
　表示画像情報８０１の上部に破線で示す領域は、いずれの表示画像情報にも共通の非表示領域を示している。前記非表示領域は、表示部１５４の表示画面には表示されない。このような当該非表示領域の右上隅の位置には、送信データ生成部１１２によって画像として表された識別番号『０００１』が書き込まれている。また、表示される領域では、もとのファイルでは文字コードで表されていた文字列が画像化されて表され、画像情報として表されていた画像とともに、全体で一つの画像として１画面の表示画像を表している。
【００６８】
　音声情報８０２は、ＨＴＭＬ文書３０１中のホットスポットである文字列『音声解説』にリンクされていた音声情報である。図８（ｂ）に示すように、音声情報８０２を格納しているファイルには、識別番号『０００１』が付されている。音声情報８０２と同様、図８（ｃ）に示すように、リンク情報８０３を格納しているファイルには、識別番号『０００１』が付されている。リンク情報８０３は、制御用の情報であるので表示されない。リンク情報８０３中の行８１１は、すでに説明したインデックス情報で、送信データ８００のファイルの識別番号が『０００１』であることを表す。
【００６９】
　行８１２は、表示画像情報８０１上の、座標値（１００、６００）で表される位置に、命令『ＧＯ＿ＴＯ＿ＰＡＧＥ（０００２）』が関連付けられており、この位置にデータ受信装置１５０側で保持しているカーソルの画像が表示されるべきことを示している。命令『ＧＯ＿ＴＯ＿ＰＡＧＥ（０００２）』は、『０００２』という識別番号の送信データ９００で表されるページを表示せよ、という命令を表す。
【００７０】
　行８１３は、表示画像情報８０１上の、座標値（１００、７００）で表される位置に、命令『ＧＯ＿ＴＯ＿ＰＡＧＥ（０００３）』が関連付けられており、この位置にカーソルの画像が表示されるべきことを示している。命令『ＧＯ＿ＴＯ＿ＰＡＧＥ（０００３）』は、『０００３』という識別番号の送信データ１０００で表されるページを表示せよ、という命令を表す。
【００７１】
　図９に示す送信データ９００は、ＷＷＷホームページの第２ページを表し、表示画像情報９０１と、表示画像情報９０１に関連付けられたリンク情報９０２とからなる。図９（ａ）は、表示画像情報９０１に基づいて表示される表示画像を用いて、表示画像情報９０１の内容を表す説明図である。図９（ｂ）は、リンク情報９０２の内容を示す説明図である。
【００７２】
　表示画像情報９０１は、表示画像情報８０１と同様、破線で示す非表示領域の右上隅にその識別番号『０００２』が書き込まれている。また、図９（ｂ）に示すように、リンク情報９０２を格納しているファイルには、識別番号『０００２』が付されている。リンク情報９０２中の行９１１は、送信データ９００のファイルの識別番号が『０００２』であることを表す。
【００７３】
　行９１２は、表示画像情報９０１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
【００７４】
　図１０に示す送信データ１０００は、ＷＷＷホームページの第３ページを表し、表示画像情報１００１と、表示画像情報１００１に関連付けられたリンク情報１００２とからなる。図１０（ａ）は、表示画像情報１００１に基づいて表示される表示画像を用いて、表示画像情報１００１の内容を表す説明図である。図１０（ｂ）は、リンク情報１００２の内容を示す説明図である。
【００７５】
　表示画像情報１００１の非表示領域の右上隅には、その識別番号である『０００３』が画像として書き込まれている。また、図１０（ｂ）に示すように、リンク情報１００２を格納しているファイルには、識別番号『０００３』が付されている。リンク情報１００２中の行１０１１は、送信データ１０００の識別番号が『０００３』であることを表す。
【００７６】
　行１０１２は、表示画像情報１００１上の、座標値（０５０、４００）で表される位置に、命令『ＧＯ＿ＴＯ＿ＰＡＧＥ（０００１）』が関連付けられており、この位置にカーソルが表示されるべきことを表す。命令『ＧＯ＿ＴＯ＿ＰＡＧＥ（０００１）』は、『０００１』という識別番号の送信データ８００によって表されるページを表示せよ、という命令を表す。
（情報取得部１１１、送信データ生成部１１２の処理の例示説明）
　以下、図３、図４、図５および図６に例示したファイルを取得し、それを用いて、図８、図９および図１０の送信データを生成するまでの情報取得部１１１および送信データ生成部１１２の処理について具体的に説明する。
（情報取得部１１１の処理）
　情報取得部１１１は、取得リスト記憶部１２１に示されるインターネット上のＷＷＷサーバに接続を要求し、当該ＷＷＷサーバから、取得すべきＨＴＭＬ文書３０１『Ｒｅｐｏｒｔ．ｈｔｍｌ』を取得する。次いで、取得したＨＴＭＬ文書３０１にファイル名『Ｒｅｐｏｒｔ．ｈｔｍｌ』を付し、バッファに格納する。同様にして、ＷＷＷサーバから、圧縮画像情報４０１、ＨＴＭＬ文書５０１およびＨＴＭＬ文書６０１を取得する。
（送信データ生成部１１２の処理）
　送信データ生成部１１２は、送信データ保持部１１３内に、表示画像情報８０１用記憶領域と、音声情報８０２用記憶領域と、リンク情報８０３用記憶領域とからなる送信データ８００格納用の記憶領域を設定し、設定した記憶領域に、送信データ８００読み出し用の識別番号『０００１』を付与する。情報取得部１１１の前記バッファから未処理のＨＴＭＬ文書３０１を取り出し、取り出したＨＴＭＬ文書３０１を作業領域のファイル記憶領域に書き込む。
【００７７】
　送信データ生成部１１２は、ＨＴＭＬ文書３０１に付されたファイル名『Ｒｅｐｏｒｔ．ｈｔｍｌ』から、ＷＷＷホームページの第１ページを表す送信データ８００の行８１１に示したインデックス情報『〈ＩＮＤＥＸ ＝０００１〉』を生成し、送信データ保持部１１３内のリンク情報８０３用記憶領域の先頭に格納する。
【００７８】
　送信データ生成部１１２は、ＨＴＭＬ文書３０１から行３１１のタグ〈ＨＴＭＬ〉を読み込む。読み込んだタグ〈ＨＴＭＬ〉内の文字列『ＨＴＭＬ』を、作業領域内のタグ記憶領域に確保し、データ変換テーブル記憶部１２２内のタグテーブルを参照して解釈し、ＨＴＭＬ文書３０１の開始行であることを識別する。この後、タグ記憶領域の文字列『ＨＴＭＬ』を消去する。
【００７９】
　次いで、送信データ生成部１１２は、行３１２のタグ〈Ｈ１〉を読み込み、タグ〈Ｈ１〉をタグテーブルを参照して解釈し、作業領域内のフラグ記憶領域に見出しフラグを立てる。見出しフラグは、タグ〈Ｈ１〉に続く文字列が見出しであり、見出し用フォントを用いて表示されるべきことを示している。続いて、タグ〈／Ｈ１〉が現れるまで、タグ〈Ｈ１〉に続く文字列を１文字ずつ前記文字列記憶領域に書き込みながら、結果として文字列『天気予報』を読み込み、タグ〈／Ｈ１〉が現れると、文字列記憶領域内の文字列『天気予報』を、あらかじめ定められた見出し用のフォントで表示画像情報化する。生成した表示画像情報を、送信データ保持部１１３に設定してある表示画像記憶領域に追加する。前記作業領域に立てた見出しフラグをリセットし、文字列記憶領域に確保した文字列『天気予報』とタグ記憶領域に確保した文字列『Ｈ１』を消去する。
【００８０】
　送信データ生成部１１２は、行３１３のタグ〈ＣＥＮＴＥＲ〉を読み込み、作業領域に中よせフラグを立てる。中よせフラグは、当該フラグに続いて読み込まれる文字列を中よせで表示すべきことを示している。次に、タグ〈ＣＥＮＴＥＲ〉に続く文字列を読み込もうとすると文字列がないので、行３１４の読み込みに移る。
【００８１】
　送信データ生成部１１２は、行３１４のタグ〈ＩＭＧ ＳＲＣ＝“Ｗｅａｔｈｅｒ．ｇｉｆ“〉を読み込み、読み込んだタグ〈ＩＭＧ ＳＲＣ＝“Ｗｅａｔｈｅｒ．ｇｉｆ“〉を、タグテーブルを参照して解釈する。送信データ生成部１１２は、ファイル名“Ｗｅａｔｈｅｒ．ｇｉｆ“で表される画像情報４０１のファイルが情報取得部１１１のバッファに存在するか否かを調べ、存在するので、これを読み出す。次いで、読み出したファイルに圧縮されて格納されている画像情報４０１を、ＧＩＦ伸長方式に従って例えばビットマップデータに変換する。
【００８２】
　送信データ生成部１１２は、行３１５のタグ〈／ＣＥＮＴＥＲ〉を読み込み、ビットマップデータに変換された画像情報４０１を、作業領域に立てた中よせフラグに従って配置する。このように生成された表示画像情報を、送信データ保持部１１３内の表示画像記憶領域に追加する。次いで、作業領域の中よせフラグをリセットする。
【００８３】
　送信データ生成部１１２は、行３１６のタグ〈Ｐ〉を読み込み、段落フラグを立てる。段落フラグは、当該フラグに続くタグ〈／Ｐ〉までの文字列を、その直後に空白行が挿入される一つの段落として表示すべきことを示している。行３１２の『天気予報』と同様にして、文字列『明日は全国的に春めいた陽気になるでしょう』を読み込み、作業領域の文字列記憶領域に確保する。続いて、タグ〈／Ｐ〉を読み込むと、保持している文字列『明日は全国的に春めいた陽気になるでしょう』を、フォントファイルに記憶している段落用フォントで画像化し、表示画像情報として送信データ保持部１１３内の表示画像情報８０１用記憶領域に追加する。さらに、作業領域をリセットする。
【００８４】
　同様に、送信データ生成部１１２は、行３１８のタグ〈ＵＬ〉を読み込み、解釈して、作業領域に箇条書きフラグを立てる。箇条書きフラグは、当該フラグの後、１項目の文字列と解釈される文字列を、番号なしの項目として箇条書き表示すべきことを示している。送信データ生成部１１２は、行３１９のタグ〈ＬＩ〉を読み込み、タグテーブルを参照して、１項目の先頭であることを解釈し、フラグ記憶領域に項目フラグを立てる。項目フラグは、タグ〈ＬＩ〉またはタグ〈／ＵＬ〉を読み込んだときに、表示画像の表示位置を改行するべきことを示している。
【００８５】
　送信データ生成部１１２は、タグ〈ＬＩ〉に続いて、タグ〈Ａ ＨＲＥＦ＝“Ｔｏｋｙｏ．ｈｔｍｌ“〉を読み込み、タグ記憶領域に書き込む。送信データ生成部１１２は、タグテーブルに従ってタグ〈Ａ ＨＲＥＦ＝“Ｔｏｋｙｏ．ｈｔｍｌ“〉を解釈し、前記フラグ記憶領域にさらに、リンクフラグを立てる。リンクフラグは、タグ〈Ａ〉内の属性値の拡張子から、リンク先ファイルが音声情報か否かを調べ、音声情報であればその音声情報を所定の形式に変換し、変換後の音声情報を音声情報記憶領域に格納して、当該タグ〈Ａ〉に関する処理を終了するべきことを示している。また、リンクフラグは、リンク先ファイルが音声情報でなければ、タグ〈Ａ〉とタグ〈／Ａ〉とに挟まれた、タグ〈Ａ〉によってリンクが張られている文字列の直前に、カーソル表示用領域として２文字分の空白部分を設けて文字列を画像化し、当該文字列の表示画像情報を生成するとともに、さらに、ホットスポット情報７０２のフォーマットに従って、ホットスポット情報を生成すべきことを示している。
【００８６】
　送信データ生成部１１２は、タグ〈Ａ ＨＲＥＦ＝“Ｔｏｋｙｏ．ｈｔｍｌ“〉に続く文字列『東京』をタグ〈／Ａ〉が現れるまで読み込み、作業領域の文字列記憶領域に書きこむ。送信データ生成部１１２は、タグ〈／Ａ〉を読み込むと、文字列『東京』の直前に、２文字分の空白部分を設けて文字列『東京』を画像化し、箇条書きフラグとに従って文字列『東京』を配置し、表示画像情報を生成して送信データ保持部１１３の表示画像情報８０１用記憶領域に追加する。次いで、送信データ生成部１１２は、カーソルの表示位置の座標を計算する。さらに、計算した座標値（１００、６００）と、作業領域のタグ記憶領域に記憶している属性値『Ｔｏｋｙｏ．ｈｔｍｌ』とから、図８の行８１２に示したホットスポット情報を生成する。次いで、生成したホットスポット情報を、送信データ保持部１１３内のリンク情報８０３用記憶領域に追加する。その後、作業領域のタグ記憶領域に書き込まれているタグ内文字列『Ａ ＨＲＥＦ＝“Ｔｏｋｙｏ．ｈｔｍｌ“』と、文字列記憶領域に書き込まれている文字列『東京』とを消去し、リンクフラグをリセットする。
【００８７】
　送信データ生成部１１２は、行３２０のタグ〈ＬＩ〉を読み込んだ後、項目フラグがあるので表示画像の表示位置を改行し、行３１９の処理と同様にして、文字列『大阪』の表示画像情報を生成するとともに、図８の行８１３に示したホットスポット情報を生成する。生成した表示画像情報は送信データ保持部１１３内の表示画像情報８０１用記憶領域に追加し、ホットスポット情報は送信データ保持部１１３内のリンク情報８０３用記憶領域に追加する。この後、タグ内文字列『Ａ ＨＲＥＦ＝“Ｏｓａｋａ．ｈｔｍｌ“』と文字列『大阪』とを消去し、リンクフラグをリセットする。
【００８８】
　次いで、送信データ生成部１１２は、行３２１のタグ〈ＬＩ〉を読み込んだ後、項目フラグがあるので表示画像の表示位置を改行し、タグ〈Ａ ＨＲＥＦ＝“Ｗｅａｔｈｅｒ．ａｕ“〉に従って、リンクフラグを立てる。リンクフラグに従って属性値の拡張子を調べると、リンク先ファイルがＡＵ形式の音声情報であるので、ＡＵ形式を予め定められた一定の形式に変換して、変換後の音声情報を音声情報８０２用記憶領域に格納する。
【００８９】
　次いで、行３２２のタグ〈／ＵＬ〉を読み込み、箇条書きの終了を解釈すると、箇条書きフラグと項目フラグとをリセットする。さらに、行３２３のタグ〈／ＨＴＭＬ〉を読み込み、ＨＴＭＬ文書３０１の終了であることを解釈すると、送信データ８００の生成処理を完了する。この後、送信データ生成部１１２は、未処理のＨＴＭＬ文書５０１があることを調べ、送信データ保持部１１３内に、表示画像情報９０１用記憶領域と、リンク情報９０２用記憶領域とからなる送信データ９００格納用の記憶領域を設定し、設定した両記憶領域に、送信データ９００読み出し用の識別番号『０００２』を付与する。情報取得部１１１の前記バッファから未処理のＨＴＭＬ文書５０１を取り出し、取り出したＨＴＭＬ文書５０１を作業領域に書き込む。
【００９０】
　送信データ生成部１１２は、ＨＴＭＬ文書５０１に付されたファイル名『Ｔｏｋｙｏ．ｈｔｍｌ』から、ＷＷＷホームページの第２ページを表す送信データ９００の行９１１に示したインデックス情報『〈ＩＮＤＥＸ ＝０００２〉』を生成し、送信データ保持部１１３のリンク情報９０２用記憶領域の先頭に格納する。以下、ＨＴＭＬ文書３０１と画像情報４０１とから送信データ８００を生成したのと同様にして、ＨＴＭＬ文書５０１から送信データ９００を、ＨＴＭＬ文書６０１から送信データ１０００を生成することができるので、以降の説明を省略する。
（送信データ保持部１１３、送信データ読出部１１４、多重化部１１５、送信部１１６の構成の説明）
　送信データ保持部１１３は、同時読み出しが可能な、表示画像情報記憶部１２３と音声情報記憶部１２４とリンク情報記憶部１２５とを備える。
【００９１】
　表示画像情報記憶部１２３は、例えば、ＲＡＭやハードディスク装置などによって実現され、送信データ生成部１１２によって設定された複数の表示画像記憶領域を有する。各表示画像情報記憶領域は、送信データ生成部１１２によって生成された表示画像情報の１ファイル分を保持する。音声情報記憶部１２４は、ＲＡＭやハードディスク装置などによって実現され、送信データ生成部１１２によって設定された複数の音声情報記憶領域を有する。各音声情報記憶領域は、送信データ生成部１１２によって生成された１ファイル分の音声情報を保持する。
【００９２】
　リンク情報記憶部１２５は、ＲＡＭやハードディスク装置などによって実現され、送信データ生成部１１２によって設定された複数のリンク情報記憶領域を有する。各リンク情報記憶領域は、送信データ生成部１１２によって生成されたリンク情報の１ファイル分を保持する。送信データ読出部１１４は、送信データ保持部１１３内に設定された各記憶領域から、送信データのファイルを識別番号の順に、同一送信データファイル内の表示画像情報と音声情報とリンク情報とを同時に読み出し、それぞれを多重化部１１５に出力する。また、末尾の識別番号に対応する送信データのファイルを読み出した後、当該識別番号が『０００１』の送信データに戻って、識別番号順に送信データを読み出す。すなわち、送信データ読出部１１４は、送信データ保持部１１３内に格納されている送信データを、識別番号の順に巡回して読み出し、多重化部１１５に出力する。その際、音声情報が存在しない場合と、存在する場合とで読み出し方が次のように異なる。すなわち送信データ読出部１１４は、音声情報が存在しない場合には、その送信データファイルを１回読み出した後、次の識別番号の送信データファイルの読み出しに移る。音声情報が存在する場合には、その送信データファイルから音声情報を読み出し、さらに、当該音声情報の再生に要する時間、その送信データファイルの表示画像情報とリンク情報とを複数回読み出した後、次の識別番号の送信データファイルの読み出しに移る。例えば、音声情報の再生時間が２秒だとすると、送信データ読出部１１４は、音声情報を１回読み出すとともに、表示画像情報とリンク情報とを６０回（２秒＊３０フレーム／秒）読み出して、次の識別番号の送信データファイルの読み出しに移る。これにより音声情報の送信時間を確保している。
【００９３】
　多重化部１１５は、送信データ読出部１１４によって読み出された表示画像情報（音声情報を含む）とリンク情報とを多重化し、送信部１１６に出力する。多重化の方法は、例えば、従来のＴＶ放送用文字多重化技術を用いる。この場合、表示画像情報と音声情報とは、画像と音声とからなる従来の放送番組と同様に、また、リンク情報は、放送番組に多重化される一般の文字情報と同様に多重化する。つまり、音声情報が存在しない場合には、表示画像情報は１フレーム分のテレビジョン映像信号の映像区間に、リンク情報は当該１フレーム分のテレビジョン信号の帰線区間に載せられて送信される。音声情報が存在する場合には、音声情報はテレビジョン音声信号に、表示画像情報、リンク情報は、当該音声データの再生時間にかかる複数フレームにわたって、テレビジョン映像信号の映像区間、帰線区間に載せられて送信される。
【００９４】
　送信部１１６は、多重化部１１５によって多重化された送信データを順次、ＴＶ放送用地上波で送信する。
（送信データの送信方法の説明）
　図１１は、送信部１１６による送信データの送信方法を示す説明図である。なお、図１１では、第１ページから第ｎ（ｎは自然数）ページまでの送信データが送信データ生成部１１２によって生成された場合について示している。また、図１１は、同一識別番号を有する表示画像情報と音声情報との組を、ＴＶの通常の放送番組に対応づけた１送信単位として表し、１つの識別番号を有するリンク情報を、前記放送番組に多重化される一般の文字情報に対応づけた１送信単位として表している。
【００９５】
　図１１に示すように、同一送信データファイルに格納されている表示画像情報、音声情報、リンク情報には同一の識別番号が付されて対応付けられている上に、ここではさらに、時間的にも対応付けられて送信される。そして、送信データ保持部１１３に保持されている第１ページから第ｎページまでの送信データは、識別番号の順に繰り返し送信される。
【００９６】
　なお、ここでは、送信データ読出部１１４が、同一送信データファイルに格納される表示画像情報と音声情報とリンク情報とを、表示画像情報記憶部１２３と音声情報記憶部１２４とリンク情報記憶部１２５とから同時に読み出し、それによって、表示画像情報と音声情報とリンク情報とを、識別番号と送信タイミングとの両方で対応付けて送信するとしたが、表示画像情報（音声情報を含む）とリンク情報とは、必ずしも送信タイミングまで合わせて送信される必要はない。例えば、送信データ読出部１１４を、第１読み出し部と第２読み出し部との２つの構成要素から構成し、第１読み出し部は表示画像情報記憶部１２３内と音声情報記憶部１２４とに生成されている表示画像情報と音声情報との組を連続的に読み出して多重化部１１５に出力し、第２読み出し部はリンク情報記憶部１２５内に生成されているリンク情報だけを連続的に読み出して多重化部１１５に出力する、としてもよい。このようにすると、同一送信データファイルに格納されている表示画像情報とリンク情報とであっても、それらが送信部１１６から送信されるタイミングは、必ずしも一致するとは限らないが、表示画像情報とリンク情報とにはそれぞれ識別番号が付されているので、その識別番号によってデータ受信装置１５０側で対応する表示画像情報とリンク情報とを取り込むことができる。
【００９７】
　また、多重化部１１５が、送信データ生成部１１２によって生成された表示画像情報（音声情報を含む）とリンク情報とを多重化し、送信部１１６が、多重化された送信データをＴＶ放送用地上波で送信するとしたが、表示画像情報とリンク情報とは、必ずしも多重化されて送信される必要はなく、例えば、表示画像情報と音声情報とをＴＶ放送用地上波あるいは衛星デジタル放送などで送信し、リンク情報は電話回線とモデムなどを利用して送信するようにしてもよい。また、複数チャネルを用いて送信するようにしてもよい。
【００９８】
　さらに、データ送信方法として衛星デジタル放送を利用する場合には、例えば、ＭＰＥＧ２ビデオ規格、システム規格に基づく圧縮符号化技術および多重化技術を用い、表示画像情報をＩピクチャとし、音声情報およびリンク情報をプライベート情報として送信するようにしてもよい。このように、表示画像情報および音声情報とリンク情報とを、デジタルデータとして送信することができる場合には、上記のように表示画像情報中の非表示領域に画像化された識別番号を書き込んでおく必要はなく、表示画像情報や音声情報も、リンク情報と同様に、単に識別番号を付して送信することができる。なお、ＭＰＥＧ２規格については、『最新ＭＰＥＧ教科書』（株式会社アスキー出版局発売）に詳しく記述されている。
【００９９】
　図３０に、衛星デジタル放送を利用する場合に送信される多重化ストリームの説明図を示す。同図の上段は、ＭＰＥＧ２規格によるトランスポートストリームを表している。このトランスポートストリームは、多重化部１１５により多重化される。トランスポートストリーム中の「Ｖ１、Ａ１、Ｌ１」は、識別番号１に対応する送信データファイルから読み出されて多重化された表示画像情報、音声情報、リンク情報を示している。「Ｖ２、Ａ２、Ｌ２」〜「Ｖｎ、Ａｎ、Ｌｎ」も同様である。
【０１００】
　「Ｖ１」は、ＭＰＥＧ２規格に準拠してＩ(Intra)ピクチャに変換された表示画像情報を表すビデオエレメンタリーストリームであり、ストリームを区別するためのＰＩＤ（Packet IDentifier）「0x0100」が付与されている。「Ｖ２」以降も同様である。「Ａ１」は、ＭＰＥＧ２規格に準拠して変換された音声情報を表すオーディオエレメンタリーストリームであり、ストリームを区別するためのＰＩＤ「0X0101」が付与されている。「Ａ２」以降も同様である。
【０１０１】
　「Ｌ１〜Ｌｎ」は、各リンク情報を載せるためのＭＰＥＧ２規格に準拠するプライベートセクションであり、プライベートセクションを区別するためのテ−ブルＩＤ「０ｘＢ０」が付与され、さらに個々のリンク情報を区別するためにテーブルＩＤエクステンションに識別番号が設定されている。各リンク情報には、対応する表示画像における一部の画像領域と、他の表示画像へのリンクを示す情報とからなる少なくとも１つの組みが設定される。例えば「Ｌ１」では、座標（Ｘ、Ｙ）＝（100、600）を中心とする画像領域に対して、識別子０００２の表示画像へのリンク（GOTO#PAGE(0002)）が設定され、座標（Ｘ、Ｙ）＝（100、700）を中心とする画像領域に対して、識別子０００３の表示画像へのリンク（GOTO#PAGE(0002)）が設定されている。
【０１０２】
　また、上記のＰＩＤと識別番号との対応関係は、ＭＰＥＧ２規格に準拠したＰＭＴ(Prgram Map Table)に設定される。同図のようにＰＭＴ中のcomponent#tagに識別番号を設定するなど、ＰＭＴ中のデスクリプターに上記ＰＩＤと識別番号との対応関係を記述しておけばよい。この場合、上記ビデオエレメンタリーストリーム、オーディオエレメンタリーストリーム、プライベートセクションが、送信データ生成部１１２により作成され、それぞれ送信データ保持部１１３に記憶される。送信データ保持部１１３に保持されているビデオエレメンタリーストリーム、オーディオエレメンタリーストリーム、プライベートセクションの１セットは、上記の送信データファイルに相当する。送信データ保持部１１３に保持された上記１セットのビデオエレメンタリーストリーム、オーディオエレメンタリーストリーム、プライベートセクションはいずれも１回ずつ読み出されることになる。送信データ読出部１１４は全ての送信データファイルを巡回的に読み出す。さらに図３０のトランスポートストリームは、多重化部１１５により作成される。
【０１０３】
　このようにしてトランスポートストリームにｎ個の表示画像情報、音声情報、リンク情報の組みとＰＭＴとを多重化すれば、衛星デジタル放送を用いて容易に送信可能となる。
（データ送信装置１１０全体の概略的処理手順）
　以下、図１２から図１４を用いて、データ送信装置１１０の処理手順について具体的に説明する。
【０１０４】
　図１２は、データ送信装置１１０全体の概略的処理手順を示すフローチャートである。情報取得部１１１は、外部データベースから所定の情報を取得し、内部のバッファに格納する（ステップＳ１１０１）。送信データ生成部１１２は、情報取得部１１１が取得した情報を解釈して、表示画像情報と、音声情報と、リンク情報とを生成し、送信データ保持部１１３に格納する（ステップＳ１１０２）。
【０１０５】
　送信データ読出部１１４が、送信データ保持部１１３内の送信データを、識別番号順に巡回して読み出す（ステップＳ１１０３）。多重化部１１５が、読み出された表示画像情報（音声情報を含む）とリンク情報とを多重化し、送信部１１６が、多重化された送信データをＴＶ放送用地上波を用いて送信する（ステップＳ１１０４）。
（情報取得部１１１の処理手順）
　図１３は、情報取得部１１１による情報取得処理の手順の一例を示すフローチャートである。
【０１０６】
　情報取得部１１１は、取得リスト記憶部１２１内の取得情報リストを参照し、まだ取得されていない情報が有るか否かをチェックする（ステップＳ１２０１）。存在しなければ情報取得処理を終了する。存在すれば、まだ取得していない情報の取得先アドレス（ＵＲＬ）を１つ取り出す（ステップＳ１２０２）。取り出したアドレスをもとに外部データベースに接続を要求し（ステップＳ１２０３）、接続が成功したかどうかを確認する（ステップＳ１２０４）。失敗の場合、ステップＳ１２０３へ戻る（ステップＳ１２０４）。
【０１０７】
　接続が成功したら、取得情報リストからまだ取得していない情報のファイル名を読み出し、当該外部データベースから目的のファイルを取得して内部のバッファに記憶する（ステップＳ１２０５）。ステップＳ１２０１へ戻る。
（送信データ生成部１１２の処理手順）
　図１４は、送信データ生成部１１２による送信データ生成処理の手順の一例を示すフローチャートである。
【０１０８】
　送信データ生成部１１２は、情報取得部１１１内のバッファを参照し、未処理のＨＴＭＬ文書があるか否かをチェックする（ステップＳ１３０１）。なければ表示画像生成処理を終了する。あれば、送信データ格納用の記憶領域を送信データ保持部１１３内に設定し、設定した記憶領域に識別番号を付すとともに、未処理のＨＴＭＬ文書を前記バッファから１つ取り出す（ステップＳ１３０２）。
【０１０９】
　取り出したＨＴＭＬ文書のファイル名から、送信データのファイル名を示すインデックス情報を作成し、送信データ保持部１１３に設定したリンク情報記憶領域に追加する（ステップＳ１３０３）。取り出したＨＴＭＬ文書から１文字読み込み、文字列記憶領域に書きこむ（ステップＳ１３０４）。
【０１１０】
　読み込んだ文字がタグ開始文字『〈』か否かをチェックする（ステップＳ１３０５）。タグ開始文字の場合、ステップＳ１３０７へ移る。タグ開始文字でない場合、読み込んだ文字を作業領域内の文字列記憶領域に追加して書き込み、ステップＳ１３０４へ戻る（ステップＳ１３０６）。次の文字を１文字読み込む（ステップＳ１３０７）。タグ終了文字『〉』か否かをチェックする（ステップＳ１３０８）。タグ終了文字の場合、ステップＳ１３１０へ移る。タグ終了文字でない場合、読み込んだ文字を作業領域内のタグ記憶領域に追加して書き込み、ステップＳ１３０７に戻る（ステップＳ１３０９）。
【０１１１】
　タグ記憶領域内の文字列をタグテーブルと照合し、『／』で始まる文字列か否かをチェックする（ステップＳ１３１０）。『／』で始まる文字列の場合、読み込んだタグが〈／ＨＴＭＬ〉タグか否かをチェックする（ステップＳ１３１１）。〈／ＨＴＭＬ〉タグの場合、作業領域をすべてリセットしてステップＳ１３０１に戻る。〈／ＨＴＭＬ〉タグでない場合、そのタグに対応してフラグ記憶領域にセットされている最下位フラグに応じた処理を行い、作業領域内の対応する記憶領域をリセットして（ステップＳ１３１２）、ステップＳ１３０４に戻る。
【０１１２】
　ステップＳ１３１０において、『／』で始まる文字列でない場合、読み込んだタグが〈ＩＭＧ〉タグか否かをチェックする（ステップＳ１３１３）。〈ＩＭＧ〉タグの場合は、〈ＩＭＧ〉タグの属性値で指定されているファイル名の画像情報ファイルを、情報取得部１１１のバッファから取り出す（ステップＳ１３１４）。取り出した画像情報を、ＧＩＦ伸長方式に従って、ビットマップデータで表される画像情報に変換し、ステップＳ１３０４に戻る（ステップＳ１３１５）。
【０１１３】
　読み込んだタグが〈ＩＭＧ〉タグでない場合、タグ記憶領域内の文字列をタグテーブルと照合し、そのタグに対応したフラグをフラグ記憶領域に立て、あるいはそのタグに対応した処理を行い（ステップＳ１３１６）、ステップＳ１３０４に戻る。なお、ＨＴＭＬ文書では、多種のタグが用いられており、それらのタグに対応する処理は既存のブラウザと同様にして処理することができる。従って、以下では、データ通信システム１００専用のフォーマットで生成されるリンク情報の生成に関係した、〈／Ａ〉タグに対する処理についてのみ、ステップＳ１３１２における処理の一例として説明する。
【０１１４】
　図１５は、図１４のステップＳ１３１２における処理手順の一部具体例を示すフローチャートである。
〈Ａ〉タグか否かをチェックする（ステップＳ１４０１）。〈Ａ〉タグでない場合、ステップＳ１４０８に移る。
〈Ａ〉タグの場合、属性値で示されるリンク先ファイルが音声情報ファイルか否かをチェックする（ステップＳ１４０２）。音声情報ファイルの場合、ステップＳ１４０７に移る。
【０１１５】
　音声情報ファイルでなければ、カーソル図形の表示領域をあけて文字列記憶領域に確保された文字列の表示画像情報を生成し、送信データ保持部１１３内の表示画像情報記憶領域に追加する（ステップＳ１４０３）。カーソル図形の表示位置を示すＸ−Ｙ座標を計算する（ステップＳ１４０４）。
【０１１６】
　計算したＸ−Ｙ座標と、タグ記憶領域に確保した属性値とから、ホットスポット情報を生成し、送信データ保持部１１３のリンク情報記憶領域に追加して格納する（ステップＳ１４０５）。作業領域内のリンクフラグをリセットし、タグ記憶領域と文字列記憶領域内の文字列を消去する（ステップＳ１４０６）。
【０１１７】
　音声情報ファイルを取り出し、ファイル内の音声情報を予め定められた一定の形式に変換して音声情報記憶領域に格納する（ステップＳ１４０７）。読み込んだタグに対応した処理を行う（ステップＳ１４０８）。
（データ受信装置１５０の構成の説明）
　以下、図１６から図２０を用いて、データ受信装置１５０の各構成について説明する。
（受信分離部１５１の構成）
　受信分離部１５１は、送信データに付されている識別番号を読み取るための読み取りバッファ１６１を備える。読み取りバッファ１６１は、１ファイル分の表示画像情報（音声情報を含む）と、１ファイル分のリンク情報とを、それぞれに一時保持するための記憶領域を有する。
【０１１８】
　受信分離部１５１は、受信した送信データから表示画像情報（音声情報を含む）とリンク情報とを分離し、分離した１ファイル分の表示画像情報（音声情報を含む）と、１ファイル分のリンク情報とを、それぞれに対応する読み取りバッファ１６１内の記憶領域に格納する。前記記憶領域に格納されている表示画像情報については、その表示画像情報の非表示領域内の一定位置に書き込まれている画像を文字認識することによりその識別番号を読み取る。前記記憶領域に格納されているリンク情報については、一般的なデジタルデータのファイルに付されている識別番号を読み取るのと同様にして読み取る。読み取った識別番号が、制御部１５５に指示された識別番号であれば、読み取りバッファ１６１に保持しているその表示画像情報（音声情報を含む）またはそのリンク情報を、受信データ保持部１５２内の対応する記憶領域に格納する。このとき音声情報については、受信分離部１５１は、表示画像情報を格納すると同時に音声情報を受信データ保持部１５２内の対応する記憶領域に格納し、さらに制御部１５５に指示された識別番号と同じ識別番号の表示画像情報が連続して送信されている間は、音声情報を蓄積していく。これにより複数フレームにまたがって送信される音声情報を分離している。
【０１１９】
　読み取った識別番号が、制御部１５５に指示された識別番号でなければ、読み取りバッファ１６１に保持しているその表示画像情報（音声情報を含む）またはそのリンク情報を廃棄し、制御部１５５に指示された識別番号を読み取るまで、新たな表示画像情報（音声情報を含む）とリンク情報とを読み取りバッファ１６１に取り込み、上記処理を繰り返す。
（受信データ保持部１５２、再生部１５３、表示部１５４の構成）
　受信データ保持部１５２は、受信分離部１５１によって分離された表示画像情報（音声情報を含む）とリンク情報とを識別番号により対応づけて格納する。表示画像情報を記憶するための領域は、例えば、１画面の静止画像を格納するためのＲＡＭやハードディスク装置などにより実現される。
【０１２０】
　再生部１５３は、制御部１５５の指示に従って、受信データ保持部１５２内に格納されている表示画像情報と、制御部１５５から入力される後述の図形情報とを再生し、表示部１５４に出力する。また、表示画像情報の再生と同期して、表示画像情報とともに格納されている音声情報を再生し、音声出力部１５７に出力する。
【０１２１】
　表示部１５４は、ＮＴＳＣ方式などに従って画像を表示するＴＶモニタなどで実現され、再生部１５３からの入力に従って、表示画像とカーソル図形とを画面に表示する。
（制御部１５５の構成）
　制御部１５５は、まず、変数値を記憶するレジスタに初期値を設定し、その初期値で示されるページに対応した、例えば識別番号『０００１』の表示画像情報（音声情報を含む）とリンク情報とを取り込むよう受信分離部１５１に指示する。
【０１２２】
　制御部１５５は、受信データ保持部１５２に新たな表示画像情報（音声情報を含む）が格納される都度、その表示画像情報（音声情報を含む）の再生を再生部１５３に指示し、受信データ保持部１５２に新たなリンク情報が格納される都度、そのリンク情報を解釈して、各カーソル表示位置に後述のカーソル図形を対応づけたカーソル図形対応表を作成する。なお、前記カーソル図形は、制御部１５５が内部に保持している図形情報によって表される。さらに、制御部１５５は、カーソル図形を表す図形情報と、その表示位置とを再生部１５３に出力して、その図形情報の再生を指示する。
【０１２３】
　図１６は、制御部１５５が、カーソル図形の表示位置を制御するために作成するカーソル図形対応表の一例を示す説明図である。カーソル図形対応表は、受信データ保持部１５２に保持されているリンク情報のホットスポット情報で示される各カーソル表示位置と、その表示位置に表示されるべきカーソル図形のカーソル番号との対応を示す。制御部１５５は、例えば、リンク情報中の各カーソル表示位置に対し、Ｙ座標が小さい順に、次いでＸ座標が小さい順に、カーソル番号を付し、カーソル図形対応表の当該カーソル番号に対応する項目にその表示位置を書き込む。
【０１２４】
　図１７は、制御部１５５が保持している図形情報の一例を示す説明図である。制御部１５５は、図１７に示すように、各カーソル番号に対応づけて、そのカーソルが選択されたときのカーソル図形と、選択されていないときのカーソル図形とを表した図形情報を保持している。さらに、制御部１５５は、信号受信部１５６からの割込みに応じ、信号受信部１５６の保持する入力信号の種別を解釈して、対応するカーソル図形の図形情報を選び、再生部１５３に出力する。次いで、選択が確定されたカーソルに従って、受信分離部１５１の送信データの取り込みを制御する。
（受信データの表示制御処理）
　なお、以下では、受信分離部１５１によって受信データ保持部１５２内の対応する記憶領域に格納された、同一識別番号を有する表示画像情報（音声情報を含む）とリンク情報との組を受信データということにし、制御部１５５による受信データの表示制御処理について、さらに具体的に説明する。
【０１２５】
　制御部１５５は、表示すべき受信データの識別番号を表す変数Ｐ−Ｉｎｄｅｘをあらかじめ定められた値、例えば『１』に設定する。次に、選択状態のカーソル番号を表す変数Ｃｕｒ−Ｐｏｓを、あらかじめ定められた値、例えば『１』に設定する。制御部１５５は、変数Ｐ−Ｉｎｄｅｘの示す送信データの取り込みを受信分離部１５１に指示する。さらに、その指示に従って取り込まれ、受信データ保持部１５２に格納された受信データのリンク情報を解釈して、変数Ｃｕｒ−Ｐｏｓの示すカーソルを選択状態とした各カーソルの図形情報を、対応する表示位置とともに再生部１５３に出力する。次いで、信号受信部１５６からの割込みが発生すると、信号受信部１５６に保持されている入力信号を解釈する。まず、入力が『上』か否かをチェックし、『上』であれば変数Ｃｕｒ−Ｐｏｓの値を１減らす。入力が『下』か否かをチェックし、『下』であれば変数Ｃｕｒ−Ｐｏｓの値を１増やす。入力が『確定』か否かをチェックし、『確定』であれば変数Ｃｕｒ−Ｐｏｓで示されるカーソル番号からその表示位置の座標を求め、その座標からホットスポット情報に記述されたリンク先のファイルの識別番号を得る。さらに、その識別番号を変数Ｐ−Ｉｎｄｅｘの値に設定し、変数Ｐ−Ｉｎｄｅｘの示す送信データの取り込みを受信分離部１５１に指示する。
（信号受信部１５６、音声出力部１５７の構成）
　信号受信部１５６は、外部の図示しないリモコン等からの入力信号を受信すると、入力信号受信による制御部１５５への割込みを発生し、受信した入力信号を保持する。
【０１２６】
　音声出力部１５７は、スピーカなどによって実現され、再生された音声情報を音声として出力する。
（表示画像の例示）
　図１８は、図８の送信データ８００に基づいて表示部１５４に表示される初期画面の表示画像１８００を示す説明図である。
【０１２７】
　図１８に示すように、表示画像１８００には、リンク情報８０３の行８１２に示したホットスポット情報に従い、表示画像情報８０１によって表される表示画像中の表示位置（１００、６００）に、カーソル番号『１』に対応したカーソル図形１８０１が表示されている。なお、制御部１５５の変数Ｃｕｒ−Ｐｏｓの初期値により、カーソル図形１８０１として、選択状態を示す図形情報が選ばれている。
【０１２８】
　同様に、リンク情報８０３の行８１３に示したホットスポット情報に従い、表示位置（１００、７００）に、カーソル番号『２』に対応したカーソル図形１８０２が表示されている。なお、カーソル番号『２』は、変数Ｃｕｒ−Ｐｏｓの初期値ではないので、カーソル図形１８０２として非選択状態を示す図形情報が選ばれている。
【０１２９】
　なお、送信データ８００には、表示画像情報８０１とともに音声情報８０２が含まれているので、表示部１５４に表示画像１８００が表示されるとともに、音声による『音声解説』が音声出力部１５７から出力される。図１９は、図９の送信データ９００に基づいて表示部１５４に表示される初期画面の表示画像１９００を示す説明図である。
【０１３０】
　図１８に示した表示画像１８００と同様、表示画像１９００には、リンク情報９０２の行９１２に示したホットスポット情報に従い、表示画像情報９０１によって表される表示画像中の表示位置（０５０、４００）に、カーソル番号『１』に対応したカーソル図形１９０１が表示される。また、カーソル図形１９０１として、選択状態を示す図形情報が選ばれる。
【０１３１】
　図２０は、図１０の送信データ１０００に基づいて表示部１５４に表示される初期画面の表示画像２０００を示す説明図である。同様に、表示画像２０００には、リンク情報１００２の行１０１２に示したホットスポット情報に従い、表示画像情報１００１によって表される表示画像中の表示位置（０５０、４００）に、カーソル番号『１』に対応し、選択状態を示すカーソル図形２００１が表示される。
（制御部１５５の処理の具体例）
　以下では、送信データ８００に基づいて表示画像１８００を表示部１５４に表示させる場合の制御部１５５の処理手順について具体的に説明する。
【０１３２】
　制御部１５５は、先ず、変数Ｐ−Ｉｎｄｅｘの初期値を『０００１』に、変数Ｃｕｒ−Ｐｏｓの初期値を『１』に設定する。次いで、変数Ｐ−Ｉｎｄｅｘが表す識別番号『０００１』の表示画像情報８０１（音声情報８０２を含む）とリンク情報８０３とを取り込むよう受信分離部１５１に指示する。制御部１５５は、受信データ保持部１５２に格納されている表示画像情報８０１（音声情報８０２を含む）の再生を、再生部１５３に指示する。再生部１５３は、第１ページの表示画像情報８０１を再生し、表示部１５４に出力するとともに、音声情報８０２を再生して音声出力部１５７に出力する。制御部１５５は、受信データ保持部１５２に格納されているリンク情報８０３を解釈し、カーソル図形対応表を作成して、各カーソルの図形情報とその表示位置とを再生部１５３に出力する。このとき、変数Ｃｕｒ−Ｐｏｓが示すカーソル、すなわち１番目のカーソルを選択状態の画像にする。
【０１３３】
　制御部１５５は、信号受信部１５６からの入力を待つ。外部のリモコン等から信号受信部１５６に、『下』信号が入力されたとする。入力信号が『下』であれば、制御部１５５は変数Ｃｕｒ−Ｐｏｓの値を１増やす。すなわち変数Ｃｕｒ−Ｐｏｓの値を『２』に設定する。次いで、新たな変数Ｃｕｒ−Ｐｏｓで示されるカーソル番号『２』の図形を選択状態の図形情報とし、元の変数Ｃｕｒ−Ｐｏｓで示されるカーソル番号『１』の図形を非選択状態の図形情報として、それぞれを再生部１５３に出力する。
【０１３４】
　制御部１５５は、信号受信部１５６からの割り込みを待ち、割り込み発生後に信号受信部１５６に、『確定』を示す入力信号が保持されていたとする。入力信号が『確定』であれば、制御部１５５は、変数Ｃｕｒ−Ｐｏｓが示すカーソル番号『２』に対応付けられたＸ−Ｙ座標（１００、７００）を、カーソル図形対応表から読み出す。次いで、読み出したＸ−Ｙ座標（１００、７００）をもとに、行８１３のホットスポット情報のリンク先ファイルの識別番号『０００３』を読み出し、読み出したリンク先ファイルの識別番号『０００３』を得る。得られた識別番号『０００３』を変数Ｐ−Ｉｎｄｅｘの値として設定する。次いで、変数Ｐ−Ｉｎｄｅｘで示される識別番号を有した表示画像情報１００１とリンク情報１００２との取り込みを受信分離部１５１に指示する。制御部１５５は、変数Ｃｕｒ−Ｐｏｓの値を『１』に初期化する。
【０１３５】
　以下、上記と同様の処理を行うことにより、図２０に示す表示画像２０００を表示部１５４に表示させることができる。また、変数Ｃｕｒ−Ｐｏｓの値が『１』のとき割り込みが発生し、割込みにより制御部１５５が信号受信部１５６を参照したときに、信号受信部１５６が『確定』を示す入力信号を保持していた場合には、制御部１５５は、上記と同様にして、図１９に示す表示画像１９００を表示部１５４に表示させることができる。
（表示制御処理の手順）
　図２１は、制御部１５５の表示制御処理の手順の一例を示すフローチャートである。
【０１３６】
　制御部１５５は、取り込むべき送信データの識別番号を示す変数Ｐ−Ｉｎｄｅｘを初期値に設定する（ステップＳ２１０１）。制御部１５５は、各表示画像の初期画面における選択状態のカーソル番号を示す変数Ｃｕｒ−Ｐｏｓを初期値に設定する（ステップＳ２１０２）。制御部１５５は、変数Ｐ−Ｉｎｄｅｘの識別番号を有する送信データの取り込みを受信分離部１５１に指示する。受信分離部１５１は、制御部１５５の指示に従って、受信した送信データから表示画像情報とリンク情報とを分離し、該当する表示画像情報とリンク情報とを、識別番号により対応づけて受信データ保持部１５２に格納する（ステップＳ２１０３）。
【０１３７】
　再生部１５３は、制御部１５５の指示により、受信データ保持部１５２内の表示画像情報を再生し、表示部１５４に出力する。表示画像情報に対応付けられた音声情報があれば、当該音声情報を再生し、音声出力部１５７に出力する（ステップＳ２１０４）。制御部１５５は、受信データ保持部１５２内のリンク情報を解釈し、カーソル図形を表す図形情報を、その表示位置を示すＸ−Ｙ座標とともに再生部１５３に出力し、その図形情報の再生を指示する。再生部１５３は、制御部１５５から入力された図形情報を再生して、表示部１５４に出力する（ステップＳ２１０５）。これにより、表示部１５４は、１画面の表示画像を表示する。
【０１３８】
　制御部１５５は、信号受信部１５６からの割込みを待ち（ステップＳ２１０６）、割込みが発生すると、信号受信部１５６に保持されている入力信号が『上』であるか否かをチェックする（ステップＳ２１０７）。『上』であれば、変数Ｃｕｒ−Ｐｏｓの値から『１』を減算し（ステップＳ２１０８）、『上』でなければ、『下』であるか否かをチェックする（ステップＳ２１０９）。
【０１３９】
　『下』であれば、変数Ｃｕｒ−Ｐｏｓの値に『１』を加算し（ステップＳ２１１０）、『下』でなければ、さらに、『確定』であるか否かをチェックする（ステップＳ２１１１）。『確定』であれば、そのときの変数Ｃｕｒ−Ｐｏｓの値に従って、カーソル番号→カーソル図形対応表のカーソル表示位置（Ｘ、Ｙ）→ホットスポット情報内のリンク先ファイルの識別番号の順に各値を求め、求められた識別番号を変数Ｐ−Ｉｎｄｅｘの値に設定する。この後、ステップＳ２１０２に戻る。
【０１４０】
　『確定』でなければ、ステップＳ２１０６に戻る。以上のように、本実施の形態によれば、本来であれば、データ受信装置１５０側において、制御情報を解釈しながら生成されるべき表示画像情報を、予めデータ送信装置１１０側で生成して送信するので、データ受信装置１５０の負荷を軽減することができる。また、制御情報に記述されている、表示用文字列の表示制御処理の種類の多さや、処理数の多さに比べれば、リンク情報による制御処理は処理の種類が限定されいるので、比較的処理数も少ない。従って、データ受信装置１５０は、このようなリンク情報を用いて、容易にデータ送信装置１１０との擬似的双方向通信を行うことができる。
【０１４１】
　また、本実施例によれば、データ通信システム１００は、インターネット上のＷＷＷホームページを表示する場合、１対多のＴＶ放送を用いて擬似的双方向通信を行うので、パソコンのブラウザを用いて表示する場合に比べて、伝送路の状態による影響を受けずに、速やかに所望のページを表示部１５４に表示させることができる。また、予めＴＶフォーマットで表された表示画像情報を用いるので、容易にフルカラー、高解像度の表示画像を、表示部１５４に表示させることができる。また、ブラウザによって生成された表示画像をＴＶに表示する場合では、表示画像の再生処理など、ＴＶに本来備えられている構成が十分に利用されなかったが、本実施例では、ＴＶに本来備えられているメモリや、デコーダなどを有効に利用して上記擬似的双方向通信を行うことができる。
【０１４２】
　なお、本実施の形態では、取得する情報の例として、ＷＷＷで用いられるＨＴＭＬ文書およびそれに関連付けられたＧＩＦ形式の圧縮画像情報とＡＵ形式の音声情報とを示したが、ハイパーカード等の他の形式や言語で記述された情報でもよい。この場合、〈Ａ〉タグに関する処理を、当該形式および当該言語に対応する方法で変更すればよい。また、本実施の形態では、限られたタグのみの含まれるＨＴＭＬ文書の変換の例を示したが、他のタグが含まれていてもよい。
【０１４３】
　なお、本実施の形態では、リンク情報による擬似的双方向通信の制御の例として、別の画面を表示する処理を説明したが、前記擬似的双方向通信に加えて、画面を点滅させたり、画面をスクロールさせる処理や、データ受信装置に接続されているＦＡＸ、電話あるいはビデオなどの装置を起動、操作する処理などを記述してもよい。
【０１４４】
　なお、上記データ通信システム１００では、送信データ生成部１１２がリンク情報中のファイルを識別番号で記述したが、必ずしも識別番号で記述しなくてもよい。例えば、リンク情報中のファイルの識別番号を、もとのファイル名で記述しておいてもよい。この場合、送信時には各送信データの表示画像情報（音声情報を含む）とリンク情報とに識別番号を付して送信し、これを受信するデータ受信装置１５０側では、起動時に、予め一巡のリンク情報を順次取り込んで、ファイル名と識別番号との対応を調べるようにすればよい。
【０１４５】
　また、データ受信装置１５０は、受信データ保持部１５２内に、データ送信装置１１０からくり返し送信されてくる一巡すべての表示画像情報とリンク情報とを格納するようにしてもよい。さらに、図３０に示したトランスポートストリームがデータ送信装置１１０から送信される場合、データ受信装置１５０は、受信分離部１５１によりまずＰＭＴを分離・取得して、取り込むべき表示画像情報のＰＩＤをＰＭＴから読み出し、当該ＰＩＤをフィルタ条件としてトランスポートストリームから表示画像情報を分離取得すればよい。また、リンク情報については、リンク情報を載せたプライベートセクションのＰＩＤをＰＭＴから読み出して、当該ＰＩＤと、識別番号（テーブルＩＤエクステンション）をフィルタ条件としてトランスポートストリームからリンク情報を分離取得すればよい。
【０１４６】
　なお、図３０に示したトランスポートストリームでは、ビデオエレメンタリーストリームはＩピクチャーからなるとしているが、ＰピクチャーやＢピクチャーを含むビデオエレメンタリーストリームとしてもよい。また、表示画像情報は、ＭＰＥＧ２規格でエンコードされることとしているが、ＭＰＥＧ１形式や、ＪＰＥＧ形式や、ＧＩＦ形式など他の形式でもよい。さらに、表示画像情報、音声情報をビデオエレメンタリーストリーム、オーディオエレメンタリーストリームとしているが、リンク情報と同様にプライベートセクション形式で多重化してもよい。
【０１４７】
　（第２の実施の形態）
　図２２は、本発明の第２の実施の形態であるデータ通信システム２２００の構成を示すブロック図である。なお、図１に示したデータ通信システム１００と同様の構成には同一の参照符号を付すとともに、すでに説明しているので説明を省略する。
【０１４８】
　データ通信システム２２００は、データ送信装置２２１０およびデータ受信装置２２５０を備える。データ送信装置２２１０は、データ送信装置１１０の送信データ生成部１１２に代えて、送信データ生成部２２１１を備える。データ受信装置２２５０は、制御部１５５に代えて、制御部２２５１を備える。制御部２２５１は、内部に図形情報記憶部２２５２を備える。
（データ送信装置２２１０）
　送信データ生成部２２１１は、データ変換テーブル記憶部１２２に代えて、データ変換テーブル記憶部２２１２を備える。データ変換テーブル記憶部２２１２の記憶内容は、リンク情報テーブルが異なる以外、データ変換テーブル記憶部１２２と同様である。
【０１４９】
　図２３は、データ変換テーブル記憶部２２１２の記憶内容であるリンク情報テーブル２３００の一例を示す説明図である。リンク情報テーブル２３００には、インデックス情報７０１、ホットスポット情報７０２のほか、タイトル情報２３０１のフォーマットが示されている。タイトル情報２３０１は、タイトル情報であることを示す情報識別部『ＴＩＴＬＥ 』と、対応する表示画像情報によって表される表示画像中のタイトル表示位置を示すＸ−Ｙ座標『Ｘ＝９９９、Ｙ＝９９９、』と、タイトルの文字列長を前記座標上の画素数で示す『Ｌ＝９９９』とからなる。なお、ここでは、文字列長Ｌを画素数で表しているが、文字数で表すとしてもよい。
【０１５０】
　送信データ生成部２２１１は、送信データ生成部１１２による処理に加え、データ変換テーブル記憶部２２１２内のリンク情報テーブルに従って、表題用補助図形の構成を指示するタイトル情報をリンク情報中に生成する。以下では、図３に示したＨＴＭＬ文書３０１を用いて、送信データ生成部２２１１によるタイトル情報の生成処理について、具体的に説明する。なお、以下では、ＷＷＷホームページの各ページに設定されている先頭表示位置は（２０、２０）であるとする。
【０１５１】
　送信データ生成部２２１１は、ＨＴＭＬ文書３０１のファイル名からインデックス情報を生成した後、行３１１のタグ〈ＨＴＭＬ〉を解釈することにより、ＨＴＭＬ文書３０１の開始行であることを識別する。次いで、タグ記憶領域の文字列『ＨＴＭＬ』を消去する。この後、行３１２のタグ〈Ｈ１〉を読み込み、タグ〈Ｈ１〉をタグテーブルを参照して解釈し、作業領域内のフラグ記憶領域に見出しフラグを立てる。
【０１５２】
　送信データ生成部２２１１は、当該見出しフラグが立てられたので、上記タイトル情報を生成するとともに、送信データ生成部１１２と同様の方法により、タグ〈Ｈ１〉とタグ〈／Ｈ１〉とに挟まれている文字列『天気予報』を、見出し用Ｈ１フォントを用いて画像化し、表示画像情報を生成する。具体的には、送信データ生成部２２１１は、リンク情報テーブル２３００を参照して、タイトル情報２３０１のフォーマットを調べる。タイトル情報２３０１のフォーマットは、『〈ＴＩＴＬＥ Ｘ＝９９９，Ｙ＝９９９，Ｌ＝９９９〉』である。このうち、『Ｘ＝９９９，Ｙ＝９９９』は、タイトルの表示位置を示すＸ−Ｙ座標である。ＨＴＭＬ文書３０１中のタグ〈Ｈ１〉で示される、タイトル『天気予報』の表示位置は、座標（２０、２０）である。また、『Ｌ＝９９９』は、タイトルの文字列長である。文字列『天気予報』の文字数は４文字であるから、Ｈ１フォント１文字分の文字サイズが（４０、４０）であれば、その文字列長Ｌは、Ｌ＝１６０である。従って、送信データ生成部２２１１は、タイトル情報『〈ＴＩＴＬＥ Ｘ＝０２０，Ｙ＝０２０，Ｌ＝１６０〉』を生成し、送信データ保持部１１３内のリンク情報記憶領域に追加して格納する。以下の処理は、送信データ生成部１１２と同様であるので、説明を省略する。
【０１５３】
　図２４は、ＨＴＭＬ文書３０１と音声情報『Ｗｅａｔｈｅｒ．ａｕ』と画像情報４０１とから生成されたＷＷＷホームページの第１ページの送信データ２４００を示す説明図である。送信データ２４００は、表示画像情報８０１、音声情報８０２およびリンク情報２４０１からなる。図２４（ａ）および図２４（ｂ）は、それぞれ図８（ａ）および図８（ｂ）と同様である。図２４（ｃ）は、リンク情報２４０１の内容を示す説明図である。
【０１５４】
　図２４（ｃ）に示すように、リンク情報２４０１には、行２４１１のインデックス情報に続いて、行２４１２のタイトル情報が記述されている。これに続いて、行２４１３および行２４１４のホットスポット情報が記述される。行２４１３および行２４１４のホットスポット情報は、それぞれ図８（ｃ）に示したリンク情報８０３中の行８１２および行８１３のホットスポット情報と同様である。
【０１５５】
　図２５は、送信データ生成部２２１１のタグ〈Ｈ１〉に対する処理の手順の一例を示すフローチャートである。送信データ生成部２２１１は、図１５に示したステップＳ１４０８において、タグ〈Ｈ１〉であるか否かをチェックする（ステップＳ２５０１）。タグ〈Ｈ１〉でなければ、ステップＳ２５１２に移る。
【０１５６】
　タグ〈Ｈ１〉であれば、見出しフラグを立て、タイトル表示位置の座標を計算し、計算値をタイトル表示位置および次文字表示位置としてそれぞれレジスタに保持する（ステップＳ２５０２）。文字列記憶領域に文字列があるか否かをチェックし（ステップＳ２５０３）、なければステップＳ２５０９に移る。あれば、文字列記憶領域から１文字を読み出して記憶領域から消去し（ステップＳ２５０４）、読み出した文字を見出し用Ｈ１フォントを用いて画像化する（ステップＳ２５０５）。次いで、当該文字画像を次文字表示位置に配置して表示画像情報を生成し（ステップＳ２５０６）、表示画像記憶領域に追加して格納した後（ステップＳ２５０７）、見出し用Ｈ１フォントの文字サイズに従って次文字表示位置を更新し（ステップＳ２５０８）、ステップＳ２５０３に戻る。
【０１５７】
　文字列記憶領域内のすべての文字列が画像化されたので、送信データ生成部２２１１は、例えば、次文字表示位置の座標値からタイトル表示位置の座標値を減算してタイトル文字列長を計算する（ステップＳ２５０９）。次いで、リンク情報テーブル２３００のタイトル情報２３０１のフォーマットに従い、タイトル表示位置の座標値と、タイトル文字列長とからタイトル情報を生成し（ステップＳ２５１０）、リンク情報記憶領域に追加して格納する（ステップＳ２５１１）。
【０１５８】
　その他のタグに応じた処理を行う（ステップＳ２５１２）。
（データ受信装置２２５０）
　制御部２２５１は、制御部１５５と同様の処理に加え、リンク情報中のタイトル情報に従って、図形情報記憶部２２５２に記憶している表題用補助図形を、その表示位置を示すＸ−Ｙ座標およびタイトル文字列長とともに、再生部１５３に出力し、表示画像中に当該表題用補助図形を表示するよう指示する。例えば、制御部２２５１は、新たなリンク情報が受信データ保持部１５２に格納される都度、その中のタイトル情報から、表題用補助図形の表示位置を示すＸ−Ｙ座標およびタイトル文字列長を読み取って保持する。さらに、表示画像情報の再生を再生部１５３に指示した後に、図形情報記憶部２２５２から表題用補助図形を読み出して、保持していた表示位置を示すＸ−Ｙ座標とタイトル文字列長とともに、再生部１５３に出力し、その表題用補助図形の長さをタイトル文字列長により決定し、当該Ｘ−Ｙ座標の位置に表示画像情報による表示画像に合成して（重ねて）再生することを指示する。この処理は、図２１に示したステップＳ２１０４と、ステップＳ２１０５との間に行う。
【０１５９】
　図形情報記憶部２２５２は、カーソル図形の他、表題用補助図形を記憶している。図２６は、図形情報記憶部２２５２の記憶内容の一例を示す説明図である。図形情報記憶部２２５２には、非選択状態を示すカーソル図形２６０１、選択状態を示すカーソル図形２６０２および表題用補助図形２６０３が格納されている。
【０１６０】
　カーソル図形２６０１は、制御部２２５１により、カーソル図形対応表が参照されて読み出され、変数Ｃｕｒ−Ｐｏｓに示されるカーソル番号以外の表示位置に表示される。また、カーソル図形２６０２は、カーソル図形対応表に対応して読み出され、変数Ｃｕｒ−Ｐｏｓに示されるカーソル番号の表示位置に表示される。
【０１６１】
　表題用補助図形２６０３は、図２６に示すように、予めＨ１フォントのサイズに合わせた幅で格納されており、タイトル文字列長の長さに合わせて長さを調整することにより、見出し用Ｈ１フォントの文字画像の表示位置に重ねて表示すれば見出し用Ｈ１フォントの文字画像を点線で囲んだ図形となるよう作成されている。表題用補助図形２６０３は、タイトル情報の情報識別部『ＴＩＴＬＥ 』に対応して読み出される。
【０１６２】
　図２７は、図２４に示した送信データ２４００に従って表示される初期画面の表示画像２７００を示す説明図である。図２７に示すように、表示画像２７００中のタイトル表示位置（２０、２０）には、そのタイトルであるタイトル文字列長『１６０』の『天気予報』の文字画像が、図形情報記憶部２２５２内に保持されている表題用補助図形２７０１で囲まれて表示されている。
【０１６３】
　また、初期設定により変数Ｃｕｒ−Ｐｏｓで示されるカーソル番号の表示位置には、『ＨＯＴＳＰＯＴ２』のカーソル図形２７０２が表示されている。他のカーソル表示位置には、『ＨＯＴＳＰＯＴ１』のカーソル図形２７０３が表示されている。以上のように本実施の形態のデータ通信システム２２００によれば、データ通信システム１００による効果に加えて、データ受信装置２２５０の負荷を大きく増加することなく、データ受信装置２２５０独自の表題用補助図形を表示画像中に表示することができる。
【０１６４】
　また、本実施の形態によれば、データ送信装置２２１０側では、ホットスポット情報中にカーソル図形の表示位置を示し、データ受信装置２２５０側では当該表示位置に、予め格納している図形情報を用いてカーソル図形を表示するので、受信側でカーソル図形の表示を制御することができる。この結果、データ送信装置２２１０では、カーソル図形の選択状態および非選択状態の変化を表すだけのために、同一内容の表示画像情報を送信する必要がなくなり、表示画像情報による情報の伝送効率を向上することができる。
【０１６５】
　さらに、データ受信装置２２５０の例えば、機種等に応じて、予め図柄の異なる図形情報を格納しておくことにより、データ受信装置２２５０の機種毎にカーソル図形をカスタマイズすることができるし、このようにカスタマイズされたカーソル図形を表示することにより、表示画像中の重要な表示箇所にユーザの注意を喚起することができる。また、データ受信装置２２５０に複数のセットの図形情報を格納し、操作者がその図形を選択できるようにすることにより、操作者がその好みに応じて図形情報から任意の図形情報を選んで表示させることもできる。
【０１６６】
　なお、図２６に示すカーソル図形及び表題用補助図形は、図形をドットの集まりで表現するビットマップデータから構成されるとしても良いし、また、図形を線を基本として表現し、この線の表示位置を示す座標データから構成されるベクトルグラフィックスデータから構成されるとしても良い。
（第３の実施の形態）
　図２８は、本発明の第３の実施の形態であるデータ通信システム３２００の構成を示すブロック図である。なお、図２２に示したデータ通信システム２２００と同様の構成には同一の参照符号を付すとともに、すでに説明しているので説明を省略する。
【０１６７】
　データ通信システム３２００は、データ送信装置３２１０およびデータ受信装置３２５０を備える。データ送信装置３２１０は、データ送信装置２２１０と比較して、さらに補助図形付加部３２１１を備える。その他の構成要素は、データ送信装置２２１０と同じである。
【０１６８】
　データ受信装置３２５０は、データ受信装置２２５０と比較して、さらに補助図形取得部３２５３を備える。その他の構成要素は、データ受信装置２２５０と同じである。外部データベースには、さらに、図２６に示す図形情報が記憶されている。
（補助図形付加部３２１１）
　補助図形付加部３２１１は、外部データベースに記憶されている図２６に示す図形情報を読み出し、読み出した図形情報を送信データ保持部１１３に記憶されているリンク情報内に追加記憶させる。
【０１６９】
　図２９は、補助図形付加部３２１１により図２６に示す図形情報を追加記憶されたリンク情報３４０１を含む送信データ３４００を示す説明図である。送信データ３４００は、表示画像情報８０１、音声情報８０２およびリンク情報３４０１からなる。図２９（ａ）および図２９（ｂ）は、図２４（ａ）および図２４（ｂ）と同様である。図２９（ｃ）は、リンク情報３４０１の内容を示す説明図である。
【０１７０】
　図２９（ｃ）に示すように、リンク情報３４０１には、行３４１１にインデックス情報、行３４１２にタイトル情報、行３４１３および行３４１３にホットスポット情報が記述され、続いて、図形情報３４１５が記憶されている。
（補助図形取得部３２５３）補助図形取得部３２５３は、受信データ保持部１５２に記憶されているリンク情報から図形情報のみを取り出し、制御部２２５１内に設けられた図形情報記憶部２２５２に記憶させる。次に、受信データ保持部１５２に記憶されているリンク情報から図形情報のみを削除する。
【０１７１】
　以上のように本実施の形態のデータ通信システム３２００によれば、データ通信システム２２００による効果に加えて、データ送信装置３２１０が外部データベースから取り出した図形情報をデータ受信装置３２５０に送信して、データ受信装置３２５０に記憶される補助図形を様々な種類に変更することができる。
【図面の簡単な説明】
【０１７２】
【図１】図１は、本発明の第１の実施の形態であるデータ通信システム１００の構成を示すブロック図である。
【図２】図２は、取得リスト記憶部１２１に格納されている取得リスト２００の一例を示す説明図である。
【図３】図３は、ＷＷＷホームページの第１ページの一例を記述するＨＴＭＬ文書３０１『Ｒｅｐｏｒｔ．ｈｔｍｌ』を示す説明図である。
【図４】図４は、ＷＷＷホームページの第１ページに表示される画像の一例である画像情報４０１『Ｗｅａｔｈｅｒ．ｇｉｆ』を示す説明図である。
【図５】図５は、前記ＷＷＷホームページの第２ページの一例を記述するＨＴＭＬ文書５０１『Ｔｏｋｙｏ．ｈｔｍｌ』を示す説明図である。
【図６】図６は、前記ＷＷＷホームページの第３ページの一例を記述するＨＴＭＬ文書６０１『Ｏｓａｋａ．ｈｔｍｌ』を示す説明図である。
【図７】図７は、データ変換テーブル記憶部１２２に格納されているリンク情報テーブル７００の一例を示す説明図である。
【図８】図８は、ＨＴＭＬ文書３０１と音声情報『Ｗｅａｔｈｅｒ．ａｕ』と画像情報４０１とから生成されたＷＷＷホームページの第１ページの送信データ８００を示す説明図である。
【図９】図９は、ＨＴＭＬ文書５０１から生成されたＷＷＷホームページの第２ページの送信データ９００を示す説明図である。
【図１０】図１０は、ＨＴＭＬ文書６０１から生成されたＷＷＷホームページの第３ページの送信データ１０００を示す説明図である。
【図１１】図１１は、送信部１１６による送信データの送信方法を示す説明図である。
【図１２】図１２は、データ送信装置１１０全体の概略的処理手順を示すフローチャートである。
【図１３】図１３は、情報取得部１１１による情報取得処理の手順の一例を示すフローチャートである。
【図１４】図１４は、送信データ生成部１１２による送信データ生成処理の手順の一例を示すフローチャートである。
【図１５】図１５は、図１４のステップＳ１３１２における処理手順の一部具体例を示すフローチャートである。
【図１６】図１６は、制御部１５５が、カーソル図形の表示位置を制御するために作成するカーソル図形対応表の一例を示す説明図である。
【図１７】図１７は、制御部１５５が保持している図形情報の一例を示す説明図である。
【図１８】図１８は、図８の送信データ８００に基づいて表示部１５４に表示される初期画面の表示画像１８００を示す説明図である。
【図１９】図１９は、図９の送信データ９００に基づいて表示部１５４に表示される初期画面の表示画像１９００を示す説明図である。
【図２０】図２０は、図１０の送信データ１０００に基づいて表示部１５４に表示される初期画面の表示画像２０００を示す説明図である。
【図２１】図２１は、制御部１５５の表示制御処理の手順の一例を示すフローチャートである。
【図２２】図２２は、本発明の第２の実施の形態であるデータ通信システムの構成を示すブロック図である。
【図２３】図２３は、上記第２の実施の形態のデータ変換テーブル記憶部の記憶内容であるリンク情報テーブルの一例を示す説明図である。
【図２４】図２４は、上記第２の実施の形態で用いたＨＴＭＬ文書と音声情報『Ｗｅａｔｈｅｒ．ａｕ』と画像情報とから生成されたＷＷＷホームページの第１ページの送信データを示す説明図である。
【図２５】図２５は、上記第２の実施の形態の送信データ生成部のタグ〈Ｈ１〉に対する処理の手順の一例を示すフローチャートである。
【図２６】図２６は、上記第２の実施の形態の図形情報記憶部の記憶内容の一例を示す説明図である。
【図２７】図２７は、図２４に示した送信データに従って表示される初期画面の表示画像を示す説明図である。
【図２８】図２８は、本発明の第３の実施の形態であるデータ通信システムの構成を示すブロック図である。
【図２９】図２９は、上記第３の実施の形態で用いたＨＴＭＬ文書と音声情報『Ｗｅａｔｈｅｒ．ａｕ』と画像情報とから生成されたＷＷＷホームページの第１ページの送信データを示す説明図である。
【図３０】図３０は、衛星デジタル放送を利用する場合に送信される多重化ストリームの説明図である。
【符号の説明】
【０１７３】
１００ データ通信システム
１１０ データ送信装置
１１１ 情報取得部
１１２ 送信データ生成部
１１３ 送信データ保持部
１１４ 送信データ読出部
１１５ 多重化部
１１６ 送信部
１２１ 取得リスト記憶部
１２２ データ変換テーブル記憶部
１２３ 表示画像情報記憶部
１２４ 音声情報記憶部
１２５ リンク情報記憶部
１５０ データ受信装置
１５１ 受信分離部
１５２ 受信データ保持部
１５３ 再生部
１５４ 表示部
１５５ 制御部
１５６ 信号受信部
１５７ 音声出力部
１６１ 読み取りバッファ
２２００ データ通信システム
２２１０ データ送信装置
２２１１ 送信データ生成部
２２１２ データ変換テーブル記憶部
２２５０ データ受信装置
２２５１ 制御部
２２５２ 図形情報記憶部
３２００ データ通信システム
３２１０ データ送信装置
３２１１ 補助図形付加部
３２５０ データ受信装置
３２５３ 補助図形取得部
【図１】
2004048783.tif 000003
【図２】
2004048783.tif 000004
【図３】
2004048783.tif 000005
【図４】
2004048783.tif 000006
【図５】
2004048783.tif 000007
【図６】
2004048783.tif 000008
【図７】
2004048783.tif 000009
【図８】
2004048783.tif 000010
【図９】
2004048783.tif 000011
【図１０】
2004048783.tif 000012
【図１１】
2004048783.tif 000013
【図１２】
2004048783.tif 000014
【図１３】
2004048783.tif 000015
【図１４】
2004048783.tif 000016
【図１５】
2004048783.tif 000017
【図１６】
2004048783.tif 000018
【図１７】
2004048783.tif 000019
【図１８】
2004048783.tif 000020
【図１９】
2004048783.tif 000021
【図２０】
2004048783.tif 000022
【図２１】
2004048783.tif 000023
【図２２】
2004048783.tif 000024
【図２３】
2004048783.tif 000025
【図２４】
2004048783.tif 000026
【図２５】
2004048783.tif 000027
【図２６】
2004048783.tif 000028
【図２７】
2004048783.tif 000029
【図２８】
2004048783.tif 000030
【図２９】
2004048783.tif 000031
【図３０】
2004048783.tif 000032